(57)【要約】【課題】  長さの異なる複数の鍵において、離鍵時の鍵の上面前端の高さを同じにする。【解決手段】  複数の白鍵１１ｗは、前後方向の長さが異なる少なくとも２種類の鍵を含み、フレームＦＲに揺動可能に支持されて押離鍵操作に応じて所定の揺動範囲内で揺動する。複数のハンマー１６ｗが複数の白鍵１１ｗに対応してそれぞれ設けられ、複数のハンマー１６ｗには質量の異なる質量体１６ｗ３が設けられている。フレームＦＲには、白鍵１１ｗを離鍵時に停止させる上限ストッパ２０を備え、上限ストッパ２０は、荷重に応じて変形量を異ならせる弾性部材で構成した緩衝材２０ｂを有する。離鍵時に複数の質量体１６ｗ３の質量に応じて緩衝材２０ｂを変形させて、離鍵時における前後方向の長さが異なる白鍵１１ｗの上面前端の高さが一致するように、緩衝材２０ｂの変形量と質量体１６ｗ３の質量又は重心位置とが調整されている。【選択図】  図２
2015034853.tif 000002
【特許請求の範囲】
【請求項１】
フレームに揺動可能に支持されて押離鍵操作に応じて所定の揺動範囲内で揺動する複数の鍵であって、前後方向の長さが異なるとともに揺動中心から前端までの長さが異なる少なくとも２種類の鍵を含む複数の鍵と、
前記複数の鍵に対してそれぞれ設けられ、前記複数の押離鍵操作に対して負荷をそれぞれ付与する複数の第１質量体と、
前記複数の鍵に直接的又は間接的に係合して荷重に応じて変形量を異ならせる弾性部材とを備え、
離鍵時に前記複数の質量体の質量に応じて前記弾性部材を変形させて、離鍵時における前記２種類の鍵の上面前端の高さが一致するように、前記弾性部材の変形量と前記複数の質量体の質量又は重心位置とを調整したことを特徴とする電子楽器の鍵盤装置。
【請求項２】
請求項１に記載した電子楽器の鍵盤装置において、さらに、
前記複数の鍵にそれぞれ連動して所定の揺動範囲内で揺動する複数の揺動部材を備え、
前記複数の第１質量体を前記複数の揺動部材にそれぞれ設け、
前記弾性部材を前記揺動部材の揺動を離鍵時に停止させるストッパ部材で構成した電子楽器の鍵盤装置。
【請求項３】
請求項２に記載した電子楽器の鍵盤装置において、さらに、
前記複数の鍵にそれぞれ組み付けられ、前記複数の鍵の押離鍵操作に対して負荷をそれぞれ付与する複数の第２質量体を設けた電子楽器の鍵盤装置。
【請求項４】
請求項１に記載した電子楽器の鍵盤装置において、さらに、
前記複数の鍵にそれぞれ連動して所定の揺動範囲内で揺動する複数の揺動部材を備え、
前記複数の第１質量体を前記複数の鍵にそれぞれ設け、
前記弾性部材を、前記複数の鍵と前記複数の揺動部材との係合部に設けられて荷重に応じて弾性変形する係合部材、又は前記複数の揺動部材を揺動可能に支持する部位に設けられて荷重に応じて弾性変形する支持部材で構成した電子楽器の鍵盤装置。
【請求項５】
請求項４に記載した電子楽器の鍵盤装置において、さらに、
前記複数の揺動部材にそれぞれ組み付けられ、前記複数の鍵の押離鍵操作に対して負荷をそれぞれ付与する複数の第２質量体を設けた電子楽器の鍵盤装置。
【請求項６】
請求項１に記載した電子楽器の鍵盤装置において、
前記複数の第１質量体を前記複数の鍵にそれぞれ設け、
前記弾性部材を前記複数の鍵を離鍵時に直接的に停止させるストッパ部材で構成した電子楽器の鍵盤装置。
【請求項７】
請求項１乃至６のうちのいずれ一つに記載した電子楽器の鍵盤装置において、
前記複数の鍵を、低音側の鍵の前後方向の長さが高音側の鍵の前後方向の長さよりも長くなるように構成した電子楽器の鍵盤装置。
【請求項８】
請求項１乃至７のうちのいずれ一つに記載した電子楽器の鍵盤装置において、
前記複数の鍵は白鍵である電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。この複数のハンマーは、共通部品である。そして、低音部の鍵から高音部の鍵に向かうに従って、後端部に設けられた鍵の回動支点から鍵の前端までの長さを徐々に長くしている。また、低音部から高音部へ向かうに従って、ハンマーの回動支点の位置を徐々に後方へずらして、鍵の回動支点から、ハンマーと鍵との係合位置までの距離を全ての鍵について同一にしている。
【先行技術文献】
【特許文献】
【０００３】
【特許文献１】特許３０７４７９４号公報
【発明の概要】
【０００４】
上記従来の鍵盤装置においては、鍵の上方への変位を規制する上限ストッパが鍵の前端（演奏者側の端部）より後方に設けられている。そして、離鍵状態では、鍵の下面から下方へ延設された係合部が上限ストッパに当接して、鍵の位置が規定される。また、離鍵状態では、鍵は前端側よりも後端側が低くなるように傾斜している。したがって、前記係合部の上下方向の長さが複数の鍵について共通であれば、離鍵状態では、前記複数の鍵の上面のうち、上限ストッパの当接点の直上付近に位置する部分の高さが同一となる。そして、短い鍵ほど離鍵状態における鍵の傾斜角が大きいので、前記複数の鍵のうちの短い鍵ほど、その前端の位置が高い。このように離鍵状態で鍵の前端の位置が短い鍵ほど高くなる現象は、隣合う２つの鍵の上面前端の高さにずれが生じることを意味し、外環上好ましくない。特に、２つの白鍵においては、それらの上面前端の互いに対向する端部位置は極めて近接しているので、上面前端の高さのずれは外観上好ましくない。
【０００５】
本発明は上記問題を解決するためになされたものであり、その目的は、複数の鍵の長さを異ならせた電子楽器の鍵盤装置において、長さの異なる離鍵時の鍵の上面前端の高さを同じにする、又は同じ高さに近づけるような鍵構造を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、フレームに揺動可能に支持されて押離鍵操作に応じて所定の揺動範囲内で揺動する複数の鍵であって、前後方向の長さが異なるとともに揺動中心から前端までの距離が異なる少なくとも２種類の鍵を含む複数の鍵（１１ｗ，１１ｂ）と、複数の鍵に対してそれぞれ設けられ、複数の押離鍵操作に対して負荷をそれぞれ付与する複数の第１質量体（１６ｗ３，１６ｂ３，３１ｗ，３１ｂ）と、複数の鍵に直接的又は間接的に係合して荷重に応じて変形量を異ならせる弾性部材（２１ｂ，１１ｗ２，１１ｂ２，１８ｗ２，１８ｂ２，３３ｂ）とを備え、離鍵時に複数の質量体の質量に応じて弾性部材を変形させて、離鍵時における２種類の鍵の上面前端の高さが一致するように、弾性部材の変形量と複数の質量体の質量又は重心位置とを調整したことにある。この場合、２種類の鍵の上面前端の高さが一致するようにするとは、２種類の鍵の上面の高さが完全に一致する場合に限らず、２種類の鍵の上面の高さの差が許容される小さな範囲内になる場合も含まれるものとする。
【０００７】
この場合、例えば、複数の鍵を、低音側の鍵の前後方向の長さが高音側の鍵の前後方向の長さよりも長くなるように構成する。また、複数の鍵を、白鍵で構成する。
【０００８】
また、具体的な例としては、さらに、複数の鍵にそれぞれ連動して所定の揺動範囲内で揺動する複数の揺動部材（１６ｗ，１６ｂ）を備え、複数の第１質量体（１６ｗ３，１６ｂ３）を複数の揺動部材にそれぞれ設け、弾性部材を揺動部材の揺動を離鍵時に停止させるストッパ部材（２１ｂ）で構成する。この場合、さらに、複数の鍵にそれぞれ組み付けられ、複数の鍵の押離鍵操作に対して負荷をそれぞれ付与する複数の第２質量体（３１ｗ、３１ｂ）を設けるとよい。
【０００９】
また、他の具体的な例としては、さらに、複数の鍵にそれぞれ連動して所定の揺動範囲内で揺動する複数の揺動部材（１６ｗ，１６ｂ）を備え、複数の第１質量体（３１ｗ、３１ｂ）を複数の鍵にそれぞれ設け、弾性部材を、前記複数の鍵と前記複数の揺動部材との係合部に設けられて荷重に応じて弾性変形する係合部材（１１ｗ２，１１ｂ２）、又は複数の揺動部材を揺動可能に支持する部位に設けられて荷重に応じて弾性変形する支持部材（１８ｗ２，１８ｂ２）で構成する。この場合、さらに、複数の揺動部材にそれぞれ組み付けられ、複数の鍵の押離鍵操作に対して負荷をそれぞれ付与する複数の第２質量体（１６ｗ３，１６ｂ３）を設けるとよい。
【００１０】
また、他の具体的な例としては、複数の第１質量体（３１ｗ）を複数の鍵にそれぞれ設け、弾性部材を前記複数の鍵を離鍵時に直接的に停止させるストッパ部材（３３ｂ）で構成する。
【００１１】
上記のように構成した鍵盤装置によれば、複数の鍵の前後方向の長さを音高に応じて異ならせて、揺動中心から前端までの長さを音高に応じて異ならせても、第１質量体と弾性部材との関係により、離鍵時における複数の鍵の上面前端の高さを極力一致させることができる。その結果、離鍵時における隣合う鍵の上面前端の高さがほぼ等しくなり、鍵盤装置の外観が良好となる。揺動部材を備えて、揺動部材及び鍵の両方に質量体を設けた場合には、前記外観上の点に加えて、鍵の押離鍵操作時における静的荷重及び動的荷重を改善することもでき、鍵に対する押離鍵操作感覚すなわち鍵タッチも良好にできる。
【図面の簡単な説明】
【００１２】
【図１】本発明の第1乃至第５実施形態に係る鍵盤装置の平面図である。
【図２】本発明の第１実施形態に係る白鍵の右側面図である。
【図３】本発明の第１実施形態に係る黒鍵の右側面図である。
【図４】音高と質量体の質量との関係を示す特性曲線図である。
【図５】音高と鍵タッチとの関係を示す特性曲線図である。
【図６】離鍵時における２つの白鍵の上面前端の高さが相違する理由を説明するための説明図である。
【図７】本発明の第1実施形態に係り、離鍵時における２つの白鍵の上面前端の高さが一致することを説明するための白鍵の右側面図である。
【図８】離鍵時における２つの黒鍵の上面前端の高さが相違する理由を説明するための説明図である。
【図９】本発明の第２実施形態に係る白鍵の右側面図である。
【図１０】本発明の第３実施形態に係る白鍵の右側面図である。
【図１１】本発明の第４実施形態に係る白鍵の右側面図である。
【図１２】本発明の第５実施形態に係る黒鍵の右側面図である。
【図１３】本発明の第５実施形態に係る黒鍵の他の例を示す右側面図である。
【図１４】本発明の第５実施形態に係る黒鍵のさらに他の例を示す右側面図である。
【図１５】本発明の第６実施形態に係る白鍵の右側面図である。
【発明を実施するための形態】
【００１３】
ａ．第1実施形態
以下、本発明の第1実施形態について図面を用いて説明する。以下の説明では、演奏者に近い側を「前側」とし、演奏者から遠い側を「後側」とする。また、高音部側を「右側」とし、低音部側を「左側」とする。
【００１４】
この鍵盤装置は、図１乃至図３に示すように、複数の白鍵１１ｗ及び複数の黒鍵１１ｂを有している。複数の白鍵１１ｗ及び複数の黒鍵１１ｂには、互いに異なる音高がそれぞれ割り当てられている。本実施形態においては、白鍵１１ｗには、「Ｃ３」、「Ｄ３」・・・「Ｃ６」のうちのいずれか1つの音高がそれぞれ割り当てられており、黒鍵１１ｂには、「Ｃ♯３」、「Ｄ♯３」・・・「Ａ♯５」のうちのいずれか1つの音高がそれぞれ割り当てられている。白鍵１１ｗ及び黒鍵１１ｂは、それぞれ合成樹脂によって長尺状に一体成型されている。低音部の白鍵１１ｗから高音部の白鍵１１ｗに向かうに従って、白鍵１１ｗの長さを徐々に短くし、低音部の黒鍵１１ｂから高音部の黒鍵１１ｂに向かうに従って、黒鍵１１ｂの長さを徐々に短くしている。このように、白鍵１１ｗ及び黒鍵１１ｂの長さを音高に応じて異ならせる理由は、鍵の長さの関係を高級なグランドピアノと同様にして押離鍵操作の感覚を前記グランドピアノに近いものとするためである。なお、黒鍵１１ｂの後端の位置は、隣り合う白鍵１１ｗの後端よりも後方に位置している。
【００１５】
割り当てられた音高が異なる白鍵１１ｗは、前後方向の長さが異なっているが、他の構成は同様である。また、割り当てられた音高が異なる黒鍵１１ｂは、前後方向の長さが異なっているが、他の構成は同様である。白鍵１１ｗは、黒鍵１１ｂに比べて、上下方向の高さが小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。
【００１６】
また、白鍵１１ｗ及び黒鍵１１ｂの側壁の後部には、それぞれ対向する貫通孔Ｋｗ及び貫通孔Ｋｂが設けられている。貫通孔Ｋｗ及び貫通孔Ｋｂから、それぞれの鍵の後端までの距離は、全ての鍵について同一である。そして、白鍵１１ｗ及び黒鍵１１ｂは、貫通孔Ｋｗ及び貫通孔Ｋｂにて、後述する鍵フレーム１２の鍵支持部１３ｗ及び鍵支持部１３ｂによって支持されている。なお、白鍵１１ｗの後端部は、この鍵盤装置が電子楽器に組み付けられたとき、電子楽器の筐体の内側に入り込んでいる。この筐体の内側に入り込む部分よりも前方の部分を白鍵１１ｗの見え掛り部と言う。また、白鍵１１ｗの側面と上面とが交差する部分には稜線が形成されている。また、黒鍵１１ｂが押鍵されておらず、かつ隣り合う白鍵１１ｗが押鍵されていない状態において、黒鍵１１ｂは、白鍵１１ｗの上面よりも上方に突出した部分を有する。この突出した部分を黒鍵１１ｂの見え掛り部という。また、黒鍵１１ｂの見え掛り部よりも下方の部分を本体部という。演奏者は、白鍵１１ｗ及び黒鍵１１ｂの見え掛り部を押離鍵操作する。黒鍵１１ｂの見え掛り部は、上端部ほど左右方向の幅が狭くなっており、本体部の左右方向の幅は上下方向のどの位置でも共通である。黒鍵１１ｂの見え掛り部の下端と、前記見え掛り部の下端よりも下方の部分との境界部には、稜線が形成されている。
【００１７】
鍵フレーム１２は、前後方向及び左右方向に延設された上板部１２ａを有する。上板部１２ａの低音部側の前端と高音部側の前端の位置は同一であるが、低音部側の後端は、高音部側の後端よりも後方に位置している。また、鍵フレーム１２は、上板部１２ａの前端から下方へ垂直に延設された前板部１２ｂ、前板部１２ｂの下端から前方へ水平に延設された底板部１２ｃ、底板部１２ｃの前端から上方へ垂直に延設された前板部１２ｄを有する。また、鍵フレーム１２は、上板部１２ａの後端から下方へ垂直に延設された後板部１２ｅ及び後板部１２ｅの下端から後方へ水平に延設された底板部１２ｆを有する。底板部１２ｃの下面の高さと底板部１２ｆの下面の高さは同じであり、底板部１２ｃの下面と底板部１２ｆの下面を電子楽器のフレームＦＲに当接させて固定することにより、この鍵盤装置が、電子楽器のフレームＦＲに支持される。
【００１８】
前記の鍵支持部１３ｗ及び鍵支持部１３ｂは、上板部１２ａの上面から上方へ突出するように形成されている。鍵支持部１３ｂは、隣り合う鍵支持部１３ｗよりも後方に位置している。鍵支持部１３ｗ及び鍵支持部１３ｂは、それぞれ対向する２枚の板状に形成されていて、内側に対向する突出部１３ｗ１及び突出部１３ｂ１をそれぞれ備えている。突出部１３ｗ１及び突出部１３ｂ１は、貫通孔Ｋｗ及び貫通孔Ｋｂに嵌合している。これにより、白鍵１１ｗ及び黒鍵１１ｂは、突出部１３ｗ１及び突出部１３ｂ１回りに回転可能にそれぞれ支持され、貫通孔Ｋｗ及び貫通孔Ｋｂ並びに突出部１３ｗ１及び突出部１３ｂ１の中心軸を揺動中心として、前端部が上下方向にそれぞれ揺動可能となっている。白鍵１１ｗの見え掛り部の上面（すなわち、白鍵１１ｗの左右の稜線を含む平面）からその揺動中心までの上下方向の距離は、全ての白鍵１１ｗについて共通である。また、黒鍵１１ｂの操作部の上面（すなわち、黒鍵１１ｂの左右の稜線を含む平面）からその揺動中心までの上下方向の距離は、すべての黒鍵１１ｂについて共通である。
【００１９】
また、白鍵１１ｗの見え掛り部の中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。駆動部１１ｗ１の上下方向の長さは、全ての白鍵１１ｗについて共通である。一方、黒鍵１１ｂも白鍵１１ｗと同様の駆動部１１ｂ１を有する。ただし、駆動部１１ｂ１は、黒鍵１１ｂの見え掛り部の前端から下方へ延設された後、僅かに前方へ湾曲させられた連結部と、この連結部の先端から下方へ延設された垂直部からなる。垂直部の構成は、駆動部１１ｗ１と同様である。駆動部１１ｂ１の上下方向の長さも、すべての黒鍵１１ｂについて共通である。
【００２０】
白鍵１１ｗの前端から駆動部１１ｗ１までの前後方向の距離Ｌｗ１は、最高音の白鍵１１ｗ（すなわち、複数の白鍵１１ｗのうちで最も短い鍵）の前端から貫通孔Ｋｗまでの距離Ｌｗ２の３０％以内である。距離Ｌｗ１は、全ての白鍵１１ｗについて共通である。また、黒鍵１１ｂの見え掛り部の前端から駆動部１１ｂ１までの前後方向の距離Ｌｂ１は、最高音の黒鍵１１ｂ（すなわち、複数の黒鍵１１ｂのうちで最も短い鍵）の見え掛り部の前端から貫通孔Ｋｂまでの距離Ｌｂ２の３０％以内である。距離Ｌｂ１は、全ての黒鍵１１ｂについて共通である。これらの３０％なる数値は、当業者にとって一般的に考え得る許容範囲を示す値である。
【００２１】
前板部１２ｂと前板部１２ｄとの間に設けられた上方に開口した開口部内にて、駆動部１１ｗ１及び駆動部１１ｂ１の下端部が、ハンマー１６ｗ及びハンマー１６ｂの前端部にそれぞれ係合している。すなわち、駆動部１１ｗ１及び駆動部１１ｂ１の下端が、ハンマー１６ｗ及びハンマー１６ｂの前端部に当接している。このハンマー１６ｗ及びハンマー１６ｂの前端部を当接部Ｐｗ１及び当接部Ｐｂ１とする。
【００２２】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｂ２及び質量体１６ｂ３からなる。基部１６ｗ１及び基部１６ｂ１は、全てのハンマー１６ｗ，１６ｂについて共通な板状の部材であって、右側面から左側面に貫通する貫通孔Ｈｗ及び貫通孔Ｈｂをそれぞれ有する。上板部１２ａの下面には、下方に突出するようにして、全ての鍵１１ｗ，１１ｂについて共通なハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗとハンマー支持部１８ｂの前後方向及び上下方向の位置は全てのハンマーについて同一である。すなわち、複数のハンマー支持部１８ｗ及びハンマー支持部１８ｂが、左右方向に並設されていて、ハンマー１６ｗ及びハンマー１６ｂの揺動中心の前後方向及び上下方向の位置は、全てのハンマー１６ｗ及びハンマー１６ｂについて同一である。言い換えれば、ハンマー１６ｗ及びハンマー１６ｂの揺動中心は、左右方向に延びる同一直線上に位置している。
【００２３】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。前板部１２ｂには、ハンマー１６ｗ及びハンマー１６ｂごとに、上下方向に長いスリット状の開口部１２ｂ１が設けられている。各ハンマー１６ｗ及びハンマー１６ｂの前端部は、開口部１２ｂ１を通って、前板部１２ｂよりも前方に突出している。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの緩衝材１１ｗ２，１１ｂ２が嵌め込まれて固着されている。緩衝材１１ｗ２，１１ｂ２は、駆動部１１ｗ１の下端と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和する。なお、緩衝材１１ｗ２，１１ｂ２も、全ての鍵１１ｗ，１１ｂについて共通である。
【００２４】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、全てのハンマー１６ｗ，１６ｂについて共通であり、それぞれ後方へ延設されている。連結棒１６ｗ２と連結棒１６ｂ２の後端の前後方向の位置は同一である。そして、連結棒１６ｗ２及び連結棒１６ｂ２の後端には、次に説明する質量体１６ｗ３及び質量体１６ｂ３が組み付けられている。
【００２５】
前記のように、割り当てられた音高によって、鍵の支点の位置が異なる。したがって、白鍵１１ｗの揺動中心から脚部Ｆｗ２における駆動部１１ｗ１との当接部Ｐｗ１までの距離Ｌｗ２−Ｌｗ１は、割り当てられた音高によって異なる。また、黒鍵１１ｂの揺動中心から脚部Ｆｂ２における駆動部１１ｂ１との当接部Ｐｂ１までの距離Ｌｂ２＋Ｌｂ１も、割り当てられた音高によって異なる。さらに、白鍵１１ｗにおいては、押離鍵操作される可能性のある位置の前端である押離鍵操作位置Ｗ０が当接部Ｐｗ１よりも前方に位置するのに対して、黒鍵１１ｂにおいては、押離鍵操作される可能性のある位置の前端である押離鍵操作位置Ｂ０が当接部Ｐｂ１の後方に位置している。したがって、全てのハンマーについて質量体の質量が同一であれば、てこの原理によって、押離鍵操作位置Ｗ０，Ｂ０においては、低音部よりも中音部の鍵タッチ感が重く、中音部よりも高音部の鍵タッチ感がさらに重い。
【００２６】
また、この場合、各音域における白鍵１１ｗと黒鍵１１ｂの鍵タッチ感が統一されない。すなわち、黒鍵１１ｂの鍵タッチ感は隣り合う２つの白鍵１１ｗの鍵タッチ感に比べて重い。そこで、図４に示すように、質量体１６ｗ３及び質量体１６ｂ３の質量を鍵ごとに調整している。すなわち、音高順に質量体１６ｗ３及び質量体１６ｂ３の質量を表した特性曲線図において、質量体１６ｗ３の特性曲線と質量体１６ｂ３の特性曲線が右下がりのほぼ平行な曲線であって、質量体１６ｂ３の特性曲線が質量体１６ｗ３の特性曲線の下側に位置するように、質量体１６ｗ３及び質量体１６ｂ３の質量を調整している。これにより、図５に一点鎖線で示すように、押離鍵操作位置Ｗ０，Ｂ０における鍵タッチ感を、低音から高音へ向かうに従って徐々に軽くしている。したがって、図５に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、割り当てられた音高が高い鍵ほど鍵の長さが短いので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部において小さく、中音部において中程度であり、高音部において大きい。ただし、質量体１６ｗ３，１６ｂ３の質量調整においては、図２及び図３に破線で示すように、質量体１６ｗ３，１６ｂ３の前方又は後方の長さを調整したり、質量体１６ｗ３，１６ｂ３に空洞を設けるようにしたりして、後述する下限ストッパ２０及び上限ストッパ２１に当接する質量体１６ｗ３，１６ｂ３の中央部の形状は全ての質量体１６ｗ３，１６ｂ３について共通とする。
【００２７】
白鍵１１ｗ及び黒鍵１１ｂの離鍵時には、ハンマー１６ｗ及びハンマーの１６ｂの自重により、ハンマー１６ｗ及びハンマー１６ｂの前端部がそれぞれ上方へ変位する。このとき、脚部Ｆｗ２及び脚部Ｆｂ２により緩衝材１１ｗ２及びの緩衝材１１ｂ２を介して駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１が緩衝材１１ｗ２及び緩衝材１１ｂ２を介して脚部Ｆｗ２及び脚部Ｆｂ２の上面をそれぞれ押圧し、ハンマー１６ｗ及びハンマー１６ｂの前端部がそれぞれ下方へ変位する。
【００２８】
鍵フレーム１２には、押鍵時にハンマー１６ｗ及びハンマー１６ｂの質量体１６ｗ３及び質量体１６ｂ３の上面に当接して、ハンマー１６ｗ及びハンマー１６ｂの後端部の上方への変位を規制することにより、白鍵１１ｗ及び黒鍵１１ｂの前端部の下方への変位を規制する下限ストッパ２０が設けられている。下限ストッパ２０は、ストッパレール２０ａ及び緩衝材２０ｂからなる。ストッパレール２０ａは、上板部１２ａの中間部の下面から下方へ突出していて、左右方向に延設されていて、ハンマー１６ｗ及びハンマー１６ｂの質量体１６ｗ３及び質量体１６ｂ３の上方に位置している。また、ストッパレール２０ａの各ハンマーとの当接部における上板部１２ａの下面からの突出量は左右方向に一定である。そして、ストッパレール２０ａの下端面には緩衝材２０ｂが固着されている。緩衝材２０ｂは、ゴム、フエルトなどの弾性変形する緩衝材によって構成した長尺状の部材である。緩衝材２０ｂは、一端から他端に至るまで断面形状が同一である。
【００２９】
また、フレームＦＲの中間部には、離鍵時に、ハンマー１６ｗ及びハンマー１６ｂの質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する上限ストッパ２１が設けられている。上限ストッパ２１は、下限ストッパ２０と同様に、ストッパレール２１ａ及び緩衝材２１ｂからなる。すなわち、ストッパレール２１ａも左右方向に延設されていて、フレームＦＲからの突出量は、左右方向に一定である。そして、ストッパレール２１ａの上面には緩衝材２１ｂが固着されている。緩衝材２１ｂも、ゴム、フエルトなどの弾性変形する緩衝材によって構成した長尺状の部材であって、一端から他端に至るまで断面形状が同一である。ただし、この緩衝材２１ｂは、詳しくは後述するように、ハンマー１６ｗ及びハンマー１６ｂの質量体１６ｗ３及び質量体１６ｂ３の質量により、弾性変形し易く構成されている。例えば、下限ストッパ２０の緩衝材２０ｂに比べて、緩衝材２１ｂを、荷重の増加により変形量が大きな材料を用いて構成したり、荷重の増加により変形量が大きくなるように厚さを厚くしたりする。
【００３０】
なお、ストッパレール２０ａ及びストッパレール２１ａは、左右方向に連続的に延設されていてもよいし、断続的に延設されていてもよい。また、ストッパレール２０ａ及びストッパレール２１ａは、それぞれ上板部１２ａ及びフレームＦＲと一体的に設けられていてもよいし、別部品として構成されていて、それぞれ上板部１２ａ及びフレームＦＲに組み付けられるようにしてもよい。
【００３１】
また、白鍵１１ｗ及び黒鍵１１ｂの中間部の下面には、スイッチ駆動部ＡＣ１が設けられている。スイッチ駆動部ＡＣ１は、白鍵１１ｗ及び黒鍵１１ｂの内部にて上下方向に延設された板状の部分であり、スイッチ駆動部ＡＣ１の下端面が、スイッチＳＷ１の上面に当接している。スイッチＳＷ１は、鍵ごとに設けられ、鍵によって押圧されて、各鍵の押離鍵状態を検出する。すなわち、スイッチＳＷ１は、鍵によって押圧されると、ゴム製の本体部が変形して、オン・オフする。そして、このオフからオンへの変化により各鍵の押鍵が検出され、また前記オン・オフが鍵の操作速度（強度）の検出に利用されることもある。回路基板２３は、左右方向に延設されている。回路基板２３には、上面から下面に貫通した貫通孔が設けられている。この貫通孔は、上板部１２ａの上面に一体的に形成されたボス２４に対応している。この貫通孔にねじを通してボス２４にねじ込むことにより、回路基板２３が、鍵フレーム１２に固定される。各鍵にそれぞれ対応した複数のスイッチＳＷ１の前記本体部が、回路基板２３の上面に左右方向に並設されている。白鍵１１ｗ用のスイッチＳＷ１と黒鍵１１ｂ用のスイッチＳＷ１の前後方向の位置が同一である。白鍵１１ｗの前端からスイッチＳＷ１までの前後方向の距離Ｌｗ３が、最高音の白鍵１１ｗの前端から貫通孔Ｋｗまでの距離Ｌｗ２の３０％以内であり、かつ黒鍵１１ｂの見え掛り部の前端からスイッチＳＷ１までの前後方向の距離Ｌｂ３が、最高音の黒鍵１１ｂの見え掛り部の前端から貫通孔Ｋｂまでの距離Ｌｂ２の３０％以内である。なお、白鍵１１ｗ用のスイッチＳＷ１と黒鍵１１ｂ用のスイッチＳＷ１をそれぞれ左右方向に並設しておき、両者の前後方向の位置をずらしてもよい。これらの３０％なる数値も、当業者にとって一般的に考え得る許容範囲を示す値である。
【００３２】
また、前板部１２ｄの上端面から上方に突出するようにして、白鍵１１ｗの揺動をガイドするための鍵ガイド２５ｗが形成されている。鍵ガイド２５ｗは、白鍵１１ｗに下方から侵入しており、押離鍵時に鍵ガイド２５ｗの側面と白鍵１１ｗの側壁の内側の面が摺接するようになっている。これにより、押離鍵時の白鍵１１ｗの左右方向の微少な変位を抑制している。また、上板部１２ａの前端部の上面から上方に突出するようにして、黒鍵１１ｂの揺動をガイドするための鍵ガイド２５ｂが形成されている。鍵ガイド２５ｂは、黒鍵１１ｂに下方から侵入しており、押離鍵時に鍵ガイド２５ｂの側面と黒鍵１１ｂの側壁の内側の面が摺接するようになっている。これにより、押離鍵時の黒鍵１１ｂの左右方向の微少な変位を抑制している。
【００３３】
次に、本発明の特徴である、離鍵時において複数の白鍵１１ｗの見え掛り部の上面前端の高さを一致させる構造及び調整について説明する。以下、この見え掛り部の上面前端の高さを、白鍵１１ｗの上面前端の高さという。前記のように構成した鍵構造においては、白鍵１１ｗが通常の押鍵力により押鍵されて、ハンマー１６ｗの質量体１６ｗ３の上面が下限ストッパ２０の緩衝材２０ｂに当接して、白鍵１１ｗの揺動が規制されたときには、複数の白鍵１１ｗは、それらの上面がそれぞれ水平になるように、各白鍵１１ｗにおける、揺動中心と見え掛り部の前端とを含む平面と、上面との位置関係がそれぞれ設定されている。言い換えれば、各白鍵１１ｗにおける、揺動中心と見え掛り部の前端とを含む平面に対する上面の角度がそれぞれ設定されている。そして、複数の白鍵１１ｗの上面が水平である状態において、複数の白鍵１１ｗの見え掛り部の前端の上下方向及び前後方向の位置が共通である。なお、白鍵１１ｗに対する押鍵力をさらに増した場合には、緩衝材２０ｂの変形により、白鍵１１ｗの上面前端は水平に対してさらに沈む。
【００３４】
一方、前述のように、全てのハンマー１６ｗに関して、基部１６ｗ１、連結棒１６ｗ２、及び押離鍵時に下限ストッパ２０及び上限ストッパ２１に当接する質量体１６ｗ３の中央部分の形状は同一であり、ハンマー支持部１８ｗの前後方向及び上下方向の位置も同一であり、かつ全ての白鍵１１ｗの駆動部１１ｗ１の上下方向の長さも同一であるので、全ての白鍵１１ｗの離鍵時における上限ストッパ２１の緩衝材２１ｂの変形量（沈み量）が同じであれば、白鍵１１ｗの離鍵状態においては、図６に示すように、全ての白鍵１１ｗにおける上面中間位置（駆動部１１ｗ１に対応する上面位置）の上下方向及び前後方向の位置は同一となる。しかし、この白鍵１１ｗの離鍵状態においては、白鍵１１ｗは前端よりも後端が低くなるように傾斜しており、かつ揺動支点から駆動部１１ｗ１に対応する上面位置までの距離Ｌｗ２−Ｌｗ１は長い白鍵１１ｗ（すなわち低音側の白鍵１１ｗ）ほど長いので、図６の太い実線及び破線で示すように、長い白鍵１１ｗの傾斜は短い白鍵１１ｗの傾斜に比べてゆるくなる。一方、駆動部１１ｗ１に対応する上面位置から前端までの距離Ｌｗ１は全ての白鍵１１ｗにおいて同じであるので、前記緩衝材２１ｂの変形量が全ての白鍵１１ｗに対して同じであることを条件に、長い白鍵１１ｗの上面前端の高さは短い白鍵１１ｗの上面前端よりも若干低くなってしまう。なお、図６においては、鍵の形状を簡略化しているとともに、離鍵状態における長い白鍵１１ｗと短い白鍵１１ｗの傾斜を強調して示している。
【００３５】
しかし、前述のように、この第１実施形態においては、質量体１６ｗ３の質量が大きくなるに従って緩衝材２１ｂの変形量が大きくなるように構成した。したがって、質量体１６ｗ３の質量が大きな長い白鍵１１ｗ（低音側の白鍵１１ｗ）ほど、前述した全ての白鍵１１ｗの離鍵時における上限ストッパ２１の緩衝材２１ｂの変形量（沈み量）が同じである場合（図７の破線参照）に比べて、緩衝材２１ｂの変形量が大きくなり、図７に実線で示すように質量体１６ｗ３は下方に変位する。これにより、ハンマー１６ｗは揺動中心軸周りに図示時計方向に若干回転し、基部１６ｗ１の前端部は上方に変位し、脚部Ｆｗ２は駆動部１１ｗ１を緩衝材１１ｗ２を介して上方へ押し上げる。したがって、白鍵１１ｗは揺動中心軸周りに時計方向に僅かに回転し、白鍵１１ｗの上面前端は上方へ若干変位する。この白鍵１１ｗの上面前端の上方への変位は、質量体１６ｗ３の質量が大きくなるに従って、すなわち長い白鍵１１ｗ（低音側の白鍵１１ｗ）ほど大きくなる。これにより、緩衝材２１ｂの質量体１６ｗ３の質量差による変形度合いと、前記緩衝材２１ｂの変形量が常に一定である場合における白鍵１１ｗの長さの違いによる上面前端の高さのずれ量との関係から、全ての白鍵１１ｗの上面前端の高さが一致するように、緩衝材２１ｂの弾性及び質量体１６ｂ３の質量を白鍵１１ｗの長さに応じて調整するようにする。これによれば、離鍵時における全ての白鍵１１ｗと上面前端の高さをほぼ統一することができる。
【００３６】
次に、黒鍵１１ｂの見え掛り部の前端の高さについて説明する。この見え掛り部の前端の高さとは、黒鍵１１ｂの稜線の前端の高さ（すなわち見え掛り部の前端部の傾斜面の下端の高さ）であるが、見え掛り部の前端部の傾斜面の上端の高さも鍵の高さを一致させるという点では同じであるので、以下の説明では、白鍵１１ｗの場合のように、これらの両者を含めて黒鍵１１ｂの上面前端の高さという。黒鍵１１ｂに関しても、黒鍵１１ｂが通常の押鍵力により押鍵されて、ハンマー１６ｂの質量体１６ｂ３上面が緩衝材２０ｂに当接して、黒鍵１１ｂの揺動が規制されたときには、複数の黒鍵１１ｂは、それらの上面がそれぞれ水平になるように、各黒鍵１１ｂにおける、揺動中心と見え掛り部の前端とを含む平面と、上面との位置関係がそれぞれ設定されている。言い換えれば、各黒鍵１１ｂにおいても、揺動中心と見え掛り部の前端とを含む平面に対する上面の角度がそれぞれ設定されている。そして、複数の黒鍵１１ｂの上面が水平である状態において、複数の黒鍵１１ｂの見え掛り部の前端の上下方向及び前後方向の位置が共通である。なお、黒鍵１１ｂに対する押鍵力をさらに増した場合には、緩衝材２０ｂの変形により、黒鍵１１ｂの上面前端は水平に対してさらに沈む。
【００３７】
一方、前述のように、黒鍵１１ｂの場合も、全てのハンマー１６ｂに関して、基部１６ｂ１、連結棒１６ｂ２、及び押離鍵時に下限ストッパ２０及び上限ストッパ２１に当接する質量体１６ｂ３の中央部分の形状は同一であり、ハンマー支持部１８ｂの前後方向及び上下方向の位置も同一であり、かつ全ての黒鍵１１ｂの駆動部１１ｂ１の上下方向の長さも同一であるので、全ての黒鍵１１ｂの離鍵時における上限ストッパ２１の緩衝材２１ｂの変形量（沈み量）が同じであれば、黒鍵１１ｂの離鍵状態においては、全ての黒鍵１１ｂにおける駆動部１１ｂ１上方の上面延長位置Ｐ０の上下方向及び前後方向の位置は同一となる。また、この黒鍵１１ｂの離鍵状態においても、黒鍵１１ｂは前端よりも後端が低くなるように傾斜しており、かつ揺動支点から駆動部１１ｂ１上方の上面延長位置Ｐ０までの距離Ｌｂ２＋Ｌｂ１は長い黒鍵１１ｂ（すなわち低音側の黒鍵１１ｂ）ほど長いので、図８の太い実線及び破線で示すように、長い黒鍵１１ｂの傾斜は短い黒鍵１１ｂの傾斜に比べてゆるくなる。一方、駆動部１１ｂ１の上方の上面延長位置Ｐ０から見え掛り部の前端までの距離Ｌｂ１は全ての黒鍵１１ｂにおいて同じであり、駆動部１１ｂ１が黒鍵１１ｂの見え掛り部の前端よりも前方にあるので、長い黒鍵１１ｂの見え掛り部の前端（黒鍵１１ｂの上面前端）は、白鍵１１ｗの場合とは逆に、短い黒鍵１１ｂの見え掛り部の前端（黒鍵１１ｂの上面前端）よりも若干高くなってしまう。なお、図８においても、鍵の形状を簡略化しているとともに、離鍵状態における長い黒鍵１１ｂと短い黒鍵１１ｂの傾斜を強調して示している。
【００３８】
また、前述のように、黒鍵１１ｂの場合も、白鍵１１ｗの場合と同様に、質量体１６ｂ３の質量が大きくなるに従って緩衝材２１ｂの変形量が大きくなるように構成した。したがって、質量体１６ｂ３の質量が大きな長い黒鍵１１ｂ（低音側の黒鍵１１ｂ）においても、前述した全ての黒鍵１１ｂの離鍵時における上限ストッパ２１の緩衝材２１ｂの変形量（沈み量）が同じである場合に比べて、緩衝材２１ｂの変形量が大きくなり、質量体１６ｂ３は下方に変位する。これにより、黒鍵１１ｂの場合も、白鍵１１ｗの場合と同様に、黒鍵１１ｂの上面前端の高さは、長い黒鍵１１ｂ（低音側の黒鍵１１ｂ）ほど高くなる。しかし、黒鍵１１ｂの場合には、駆動部１１ｂ１上方の上面延長位置Ｐ０から見え掛り部の前端までの距離Ｌｂ１は極めて短いので、黒鍵１１ｂの長さが変わっても、前記緩衝材２１ｂの変形量（沈み量）が同じである場合の黒鍵１１ｂの長さによる上面前端の高さの差、及び前記質量体１６ｂ３による緩衝材２１ｂの変形量による上面前端の高さの差は小さい。したがって、前記両高さの差が加算されても、黒鍵１１ｂの上面前端の高さの差は、黒鍵１１ｂの長さが変わってもそれ程大きくならない、すなわち低音側と高音側とであまり大きくならない。
【００３９】
上記のように構成した鍵盤装置によれば、ハンマー１６ｗを駆動するための白鍵１１ｗの駆動部１１ｗ１の前後方向の位置及び上下方向の長さを全ての白鍵１１ｗについて共通にしたうえで、白鍵１１ｗの前後方向の長さを音高に応じて異ならせ、かつ揺動中心から前端までの長さを音高に応じて異ならせても、ハンマー１６ｗの質量体１６ｗ３の質量を音高に応じて異ならせることにより、離鍵時における全ての白鍵１１ｗの上面前端の高さを極力一致させるようにした。これにより、離鍵時における隣合う白鍵１１ｗの上面前端の高さがほぼ等しくなり、鍵盤装置の外観が良好となる。なお、黒鍵１１ｂにおいては、ハンマー１６ｂを駆動するための黒鍵１１ｂの駆動部１１ｂ１の前後方向の位置及び上下方向の長さを全ての黒鍵１１ｂについて共通にしたうえで、前後方向の長さを音高に応じて異ならせて、揺動中心から前端までの長さを音高に応じて異ならせた結果、上面前端の高さは音高に応じて異なるようになる。しかし、黒鍵１１ｂにおいては、駆動部１１ｂ１上方の上面延長位置Ｐ０から見え掛り部の前端（上面前端）までの距離Ｌｂ１は極めて短いので、音高に応じた上面前端の高さの差は小さく、また隣合う黒鍵１１ｂは白鍵１１ｗほど近接していないので、複数の黒鍵１１ｂ間における上面前端の高さの差は外観上あまり大きな問題ではない。
【００４０】
また、この場合、白鍵１１ｗ及び黒鍵１１ｂに関して、前後方向の長さを低音鍵ほど長くしたうえで、ハンマー１６ｗ，１６ｂの質量体１６ｗ３，１６ｂ３の質量を重くして、低音から高音に向かうに従って徐々に軽くなるようにした。これにより、高級なグランドピアノの似た鍵タッチ感を実現できる。
【００４１】
さらに、上記第１実施形態においては、白鍵１１ｗ及び黒鍵１１ｂの揺動中心の高さを共通にして、白鍵１１ｗ及び黒鍵１１ｂを揺動可能に支持する鍵支持部１３ｗ、１３ｂを全ての白鍵１１ｗ及び黒鍵１１ｂについて共通の形状にした。また、ハンマー１６ｗ，１６ｂに関して、質量体１６ｗ３，１６ｂ３以外には、基部１６ｗ１，１６ｂ１及び連結棒１６ｗ２，１６ｂ２を全てのハンマー１６ｗ，１６ｂについて共通にするとともに、ハンマー支持部１８ｗ，１８ｂの前後方向及び上下方向の位置も全ての全てのハンマー１６ｗ，１６ｂについて共通にした。さらに、下限ストッパ２０及び上限ストッパ２１についても、全ての白鍵１１ｗ及び黒鍵１１ｂについて共通にした。これにより、各部品の構成及び組付けが簡素化され、鍵盤装置の製造が簡単になるとともに、製造コストを低減できる。
【００４２】
ｂ．第２実施形態  
次に、本発明の第２実施形態について説明する。この第２実施形態においては、上記第１実施形態に加えて、白鍵１１ｗ及び黒鍵１１ｂ内に質量体３１ｗ，３１ｂを組付けるようにしている。図９は、この第２実施形態に係り、上記第１実施形態の説明に用いた図７の白鍵１１ｗに関する鍵構造を変形して示している。質量体３１ｗは、白鍵１１ｗの内側であって、各白鍵１１ｗの前端近くに組み付けられている。また、質量体３１ｗの質量は、白鍵１１ｗの前後方向の長さが長くなるに従って、すなわち高音から低音に向かうに従って大きくなっている。それ以外の構成は上記第１実施形態と同様であるので、上記図２及び図７と同一符号を付して説明を省略する。なお、詳しい説明は省略するが、黒鍵１１ｂの場合も、質量体３１ｂは、黒鍵１１ｂの内側であって、各黒鍵１１ｂの前端近くに組み付けられている。また、黒鍵１１ｂに組み付けられた質量体３１ｂの質量も、黒鍵１１ｂの前後方向の長さが長くなるに従って、すなわち高音から低音に向かうに従って大きくなっている。また、黒鍵１１ｂに関しては、図示も省略している。
【００４３】
ここで、白鍵１１ｗに関して、質量体１６ｗ３の質量Ｗｈ及び質量体３１ｗの質量Ｗｋについて、上限ストッパ２１の緩衝材２１ｂを変形させるストッパ荷重Ｆｗと、白鍵１１ｗの押離鍵操作時に演奏者が認識する静的荷重Ｆｓ及び動的荷重Ｆａとを考慮しながら説明する。この場合、図９に矢印で示すように、質量体１６ｗ３はハンマー１６ｗを時計方向に回転させるように作用し、質量体３１ｗはハンマー１６ｗを反時計方向に回転させるように作用する。質量体１６ｗ３の質量Ｗｈ及び質量体３１ｗの質量Ｗｋがストッパ荷重Ｆｗ、静的荷重Ｆｓ及び動的荷重Ｆａに与える影響は、鍵支持部１３ｗから質量体３１ｗまでの距離、鍵支持部１３ｗから駆動部１１ｗ１までの距離、ハンマー支持部１８ｗから当接部Ｐｗ１までの距離、ハンマー支持部１８ｗから質量体１６ｗ３までの距離などにも関係するが、以下の説明では、これらの距離などを考慮した状態での質量を、質量体１６ｗ３，３１ｗの質量Ｗｈ，Ｗｋとして説明する。
【００４４】
前後方向の長さの異なる２つの白鍵１１ｗを想定して、長い側（低音側）の白鍵１１ｗに関する質量体１６ｗ３の質量ＷｈをＷｈ−Ｌとするとともに質量体３１ｗの質量ＷｋをＷｋ−Ｌとし、短い側（高音側）の白鍵１１ｗに関する質量体１６ｗ３の質量ＷｈをＷｈ−Ｓとするとともに質量体３１ｗの質量ＷｋをＷｋ−Ｓとする。また、長い側（低音側）の白鍵１１ｗに関するストッパ荷重Ｆｗ，静的荷重Ｆｓ及び動的荷重ＦａをそれぞれＦｗ−Ｌ，Ｆｓ−Ｌ，Ｆａ−Ｌとするとともに、短い側（高音側）の白鍵１１ｗに関するストッパ荷重Ｆｗ，静的荷重Ｆｓ及び動的荷重ＦａをそれぞれＦｗ−Ｓ，Ｆｓ−Ｓ，Ｆａ−Ｓとする。
【００４５】
そして、この第２実施形態において、例えば、質量Ｗｈ−Ｌを６・Ｍとし、質量Ｗｈ−Ｓを４・Ｍとし、質量Ｗｋ−Ｌを３・Ｍとし、かつ質量Ｗｋ−Ｓを２・Ｍとする。なお、値Ｍは適当な固定値である。この場合、ストッパ荷重Ｆｗ及び静的荷重Ｆｓは質量体１６ｗ３の質量Ｗｈと質量体３１ｗの質量Ｗｋとの差に等しく、動的荷重Ｆａは質量体１６ｗ３の質量Ｗｈと質量体３１ｗの質量Ｗｋとの合計に等しいので、ストッパ荷重Ｆｗ−Ｌ，Ｆｗ−Ｓ、静的荷重Ｆｓ−Ｌ，Ｆｓ−Ｓ及び動的荷重Ｆa−Ｌ，Ｆａ−Ｓは下記表１のようになる。
【００４６】
【表１】
2015034853.tif 000003
【００４７】
これによれば、長い側（低音側）の白鍵１１ｗのストッパ荷重Ｆｗ−Ｌ（＝３・Ｍ）は短い側（高音側）の白鍵１１ｗのストッパ荷重Ｆｗ−Ｓ（＝２・Ｍ）よりも大きいので、長い側（低音側）の白鍵１１ｗの緩衝材２１ｂの変形量は短い側（高音側）の白鍵１１ｗの緩衝材２１ｂの変形量よりも大きくなり、緩衝材２１ｂの弾性変形により、長い側（低音側）の白鍵１１ｗの上面前端の高さと、短い側（高音側）の白鍵１１ｗの上面前端の高さとを、上記第１実施形態の場合のように同じにすることができる。また、長い側（低音側）の白鍵１１ｗの静的荷重Ｆｓ−Ｌ（＝３・Ｍ）は短い側（高音側）の白鍵１１ｗの静的荷重Ｆｓ−Ｓ（＝２・Ｍ）よりも大きくなる。静的荷重Ｆｓに関しては、白鍵１１ｗの長さによらずほぼ一定であることが押離鍵時の操作感覚上望ましいので、前記数値はあまり好ましくない。さらに、長い側（低音側）の白鍵１１ｗの動的荷重Ｆａ−Ｌ（＝９・Ｍ）は短い側（高音側）の白鍵１１ｗの動的荷重Ｆａ−Ｓ（＝６・Ｍ）よりも大きくなり、動的荷重Ｆａは長い白鍵１１ｗほど大きいことが押離鍵時の操作感覚上望ましいので、前記数値は好ましいものである。したがって、この第２実施形態によれば、押離鍵時の静的荷重Ｆｓに関する操作感覚を重視なければ、長い側（低音側）の白鍵１１ｗの上面前端の高さと、短い側（高音側）の白鍵１１ｗの上面前端の高さとを一致させるという鍵盤装置の外観を良好にできるとともに、押離鍵時の動的荷重Ｆａに関する操作感覚を良好にできる。
【００４８】
ここで、上記第１実施形態の場合における前述のような質量体１６ｗ３，３１ｗの質量Ｗｈ，Ｗｋ、ストッパ荷重Ｆｗ、静的荷重Ｆｓ及び動的荷重Ｆａの数値関係について説明しておく。この場合、白鍵１１ｗ内に質量体３１ｗは組み付けられていないので、下記表２に示すように、質量体３１ｗの質量Ｗｋは「０」である。また、長い側（低音側）の白鍵１１ｗの質量体１６ｗ３の質量Ｗｈ−Ｌを６・Ｍとし、短い側（高音側）の白鍵１１ｗの質量体１６ｗ３の質量Ｗｈ−Ｓを４・Ｍとすれば、長い側（低音側）の白鍵１１ｗのストッパ荷重Ｆｗ−Ｌ、静的荷重Ｆｓ−Ｌ及び動的荷重Ｆａ−Ｌはいずれも６・Ｍとなり、短い側（高音側）の白鍵１１ｗのストッパ荷重Ｆｗ−Ｓ、静的荷重Ｆｓ−Ｓ及び動的荷重Ｆａ−Ｓはいずれも４・Ｍとなる。これらの数値は、長い側（低音側）の白鍵１１ｗの上面前端の高さと短い側（高音側）の白鍵１１ｗの上面前端の高さとを一致させて鍵盤装置の外観を良好にするとともに、動的荷重Ｆａに関する押離鍵時の操作感覚を良好にするものであるが、静的荷重Ｆｓに関する押離鍵時の操作感覚に関しては必ずしも好ましくない。したがって、上記第１実施形態に係る鍵盤装置は、前述した第２実施形態と同等である。
【００４９】
【表２】
2015034853.tif 000004
【００５０】
ここで、ふたたび前記第２実施形態のように質量体３１ｗを白鍵１１ｗに組付けた場合の説明に戻ると、前述した例では、長い側（低音側）の白鍵１１ｗの質量体１６ｗ３，３１ｗの質量Ｗｈ−Ｌ，Ｗｋ−Ｌをそれぞれ６・Ｍ，３・Ｍとし、短い側（低音側）の白鍵１１ｗの質量体１６ｗ３，３１ｗの質量Ｗｈ−Ｓ，Ｗｋ−ｓをそれぞれ４・Ｍ，２・Ｍとした。しかし、これに代えて、質量Ｗｈ−Ｌを質量Ｗｈ−Ｓよりも大きく保ち、かつ質量Ｗｋ−Ｌを質量Ｗｋ−Ｓよりも大きく保ったまま、質量Ｗｈ−Ｌ若しくは質量Ｗｋ−Ｓを小さくするか、又は質量Ｗｋ−Ｌ若しくは質量Ｗｈ−Ｓを大きくすれば、ストッパ荷重Ｆｗ−Ｌ，Ｆｗ−Ｓ間の差及び静的荷重Ｆｓ−Ｌ，Ｆｓ−Ｓ間の差を小さくできる。これによれば、複数の白鍵１１ｗ間における静的荷重Ｆｓの差を小さくできて、押離鍵時の操作感覚を良好にできる。一方、複数の白鍵１１ｗの上面前端の高さ調整においては、荷重に対しての弾性変形量を大きくした、上記第１及び第２実施形態の場合よりもさらに弾性変形し易い緩衝材２１ｂを用いるようにすればよい。
【００５１】
ｂ１．第１変形例
次に、前記第２実施形態において白鍵１１ｗに組付けた質量体３１ｗを複数の白鍵１１ｗに対して共通とした上記第２実施形態の第１変形例について説明する。この場合、質量体１６ｗ３の質量Ｗｈを長い側（低音側）の白鍵１１ｗほど大きくする。これにより、離鍵時において、長い側（低音側）の白鍵１１ｗの上面前端の高さと、短い側（高音側）の白鍵１１ｗの上面前端の高さとを一致させることができる。
【００５２】
この第１変形例に関しても、前述の場合と同様に、数値例を挙げておく。例えば、下記表３に示すように、長い側（低音側）の白鍵１１ｗの質量体１６ｗ３，３１ｗの質量Ｗｈ−Ｌ，Ｗｋ−Ｌをそれぞれ６・Ｍ，２・Ｍとし、短い側（低音側）の白鍵１１ｗの質量体１６ｗ３，３１ｗの質量Ｗｈ−Ｓ，Ｗｋ−Ｓをそれぞれ４・Ｍ，２・Ｍとする。この場合、長い側（低音側）の白鍵１１ｗのストッパ荷重Ｆｗ−Ｌ、静的荷重Ｆｓ−Ｌ及び動的荷重Ｆａ−Ｌはそれぞれ４・Ｍ，４・Ｍ，８・Ｍとなり、短い側（高音側）の白鍵１１ｗのストッパ荷重Ｆｗ−Ｓ、静的荷重Ｆｓ−Ｓ及び動的荷重Ｆａ−Ｓはそれぞれ２・Ｍ，２・Ｍ，６・Ｍとなる。これらの数値は、長い側（低音側）の白鍵１１ｗの上面前端の高さと短い側（高音側）の白鍵１１ｗの上面前端の高さとを一致させて鍵盤装置の外観を良好にするとともに、動的荷重Ｆａに関する押離鍵時の操作感覚を良好にするものであるが、静的荷重Ｆｓに関する押離鍵時の操作感覚に関しては必ずしも好ましくない。したがって、この第１変形例によっても、押離鍵時の静的荷重Ｆｓに関する操作感覚を重視しなければ、鍵盤装置の外観を良好にできるとともに、押離鍵時の動的荷重Ｆａに関する操作感覚を良好にできる。
【００５３】
【表３】
2015034853.tif 000005
【００５４】
しかし、この第１変形例の場合も、質量Ｗｈ−Ｌを質量Ｗｈ−Ｓよりも大きく保ち、かつ質量Ｗｋ−Ｌと質量Ｗｋ−Ｓとを等しく保ったまま、質量Ｗｈ−Ｌを小さくするか、又は質量Ｗｈ−Ｓを大きくすれば、ストッパ荷重Ｆｗ−Ｌ，Ｆｗ−Ｓ間の差及び静的荷重Ｆｓ−Ｌ，Ｆｓ−Ｓ間の差を小さくできる。したがって、これによっても、複数の白鍵１１ｗ間における静的荷重Ｆｓの差を小さくできて、押離鍵時の操作感覚を良好にできる。一方、複数の白鍵１１ｗの上面前端の高さ調整においても、前述のように、荷重に対しての弾性変形量をより大きくした弾性変形し易い緩衝材２１ｂを用いるようにすればよい。
【００５５】
ｂ２．第２変形例
次に、前記第２実施形態においてハンマー１６ｗの質量体１６ｗ３を複数の白鍵１１ｗに対して共通とした上記第２実施形態の第２変形例について説明する。この場合、質量体３１ｗの質量Ｗｋを長い側（低音側）の白鍵１１ｗほど小さくする。これにより、離鍵時において、長い側（低音側）の白鍵１１ｗの上面前端の高さと、短い側（高音側）の白鍵１１ｗの上面前端の高さとを一致させることができる。
【００５６】
この第２変形例に関しても、前述の場合と同様に、数値例を挙げておく。例えば、下記表４に示すように、長い側（低音側）の白鍵１１ｗの質量体１６ｗ３，３１ｗの質量Ｗｈ−Ｌ，Ｗｋ−Ｌをそれぞれ４・Ｍ，２・Ｍとし、短い側（低音側）の白鍵１１ｗの質量体１６ｗ３，３１ｗの質量Ｗｈ−Ｓ，Ｗｋ−Ｓをそれぞれ４・Ｍ，３・Ｍとする。この場合、長い側（低音側）の白鍵１１ｗのストッパ荷重Ｆｗ−Ｌ、静的荷重Ｆｓ−Ｌ及び動的荷重Ｆａ−Ｌはそれぞれ２・Ｍ，２・Ｍ，６・Ｍとなり、短い側（高音側）の白鍵１１ｗのストッパ荷重Ｆｗ−Ｓ、静的荷重Ｆｓ−Ｓ及び動的荷重Ｆａ−Ｓはそれぞれ１・Ｍ，１・Ｍ，７・Ｍとなる。これらの数値は、長い側（低音側）の白鍵１１ｗの上面前端の高さと短い側（高音側）の白鍵１１ｗの上面前端の高さとを一致させて鍵盤装置の外観を良好にすることができる。しかし、静的荷重Ｆｓ及び動的荷重Ｆａに関する押離鍵時の操作感覚に関しては必ずしも好ましくない。したがって、この第２変形例によれば、押離鍵時の静的荷重Ｆｓ及び動的荷重Ｆａに関する操作感覚を重視しなければ、鍵盤装置の外観を良好にできる。
【００５７】
【表４】
2015034853.tif 000006
【００５８】
ｂ３．第３変形例
次に、ハンマー１６ｗの質量体１６ｗ３の質量Ｗｈを長い側（低音側）の白鍵１１ｗほど小さくした上記第２実施形態の第３変形例について説明する。この場合、質量体３１ｗの質量Ｗｋを、前記第２変形例の場合よりも、長い側（低音側）の白鍵１１ｗほどさらに小さくする。これにより、離鍵時において、長い側（低音側）の白鍵１１ｗの上面前端の高さと、短い側（高音側）の白鍵１１ｗの上面前端の高さとを一致させることができる。
【００５９】
この第３変形例に関しても、前述の場合と同様に、数値例を挙げておく。例えば、下記表５に示すように、長い側（低音側）の白鍵１１ｗの質量体１６ｗ３，３１ｗの質量Ｗｈ−Ｌ，Ｗｋ−Ｌをそれぞれ４・Ｍ，１・Ｍとし、短い側（低音側）の白鍵１１ｗの質量体１６ｗ３，３１ｗの質量Ｗｈ−Ｓ，Ｗｋ−Ｓをそれぞれ６・Ｍ，４・Ｍとする。この場合、長い側（低音側）の白鍵１１ｗのストッパ荷重Ｆｗ−Ｌ、静的荷重Ｆｓ−Ｌ及び動的荷重Ｆａ−Ｌはそれぞれ３・Ｍ，３・Ｍ，５・Ｍとなり、短い側（高音側）の白鍵１１ｗのストッパ荷重Ｆｗ−Ｓ、静的荷重Ｆｓ−Ｓ及び動的荷重Ｆａ−Ｓはそれぞれ２・Ｍ，２・Ｍ，１０・Ｍとなる。これらの数値は、長い側（低音側）の白鍵１１ｗの上面前端の高さと短い側（高音側）の白鍵１１ｗの上面前端の高さとを一致させて鍵盤装置の外観を良好にすることができる。しかし、静的荷重Ｆｓ及び動的荷重Ｆａに関する押離鍵時の操作感覚に関しては必ずしも好ましくない。特に、動的荷重Ｆａに関する押離鍵時の操作感覚に関しては前記第２変形例の場合よりも好ましくない。したがって、この第３変形例によっても、押離鍵時の静的荷重Ｆｓ及び動的荷重Ｆａに関する操作感覚を重視しなければ、鍵盤装置の外観を良好にできる。
【００６０】
【表５】
2015034853.tif 000007
【００６１】
ｃ．第３実施形態  
次に、本発明の第３実施形態について説明する。上記第２実施形態では上限ストッパ２１の緩衝材２１ｂを荷重Ｆｗに応じて弾性変形するように構成したが、この第３実施形態においては、駆動部１１ｗ１に設けた緩衝材１１ｗ２が荷重Ｆｗに応じて弾性変形するように構成している。すなわち、この第３実施形態においては、緩衝材２１ｂは多少弾性変形するが荷重Ｆｗに応じてほとんど弾性変形しないように構成されており、駆動部１１ｗ１の緩衝材１１ｗ２が荷重Ｆｗに応じて弾性変形し易く構成されている。例えば、緩衝材１１ｗ２を、荷重の増加により変形量が大きな材料を用いて構成したり、荷重の増加により変形量が大きくなるように厚さを厚くしたりする。また、白鍵１１ｗに組み付けられた質量体３１ｗの質量Ｗｋは、白鍵１１ｗの前後方向の長さが長くなるに従って、すなわち高音から低音に向かうに従って小さくなるように構成されている。ハンマー１６ｗは全ての白鍵１１ｗ及び黒鍵１１ｂについて共通に構成されており、ハンマー１６ｗ，１６ｂの質量体１６ｗ３の質量Ｗｈは全ての白鍵１１ｗ及び黒鍵１１ｂについて共通である。この第３実施形態に係る白鍵１１ｗを図１０に示すが、前記以外の部分は上記第１及び第２実施形態の場合と同様に構成されており、上記図２、図７及び図９と同一符号を付して説明を省略する。
【００６２】
また、黒鍵１１ｂの場合も、白鍵１１ｗと同様に構成されており、質量体３１ｗは、黒鍵１１ｂの内側であって、各黒鍵１１ｂの前端からほぼ同一距離の位置に組み付けられている。この黒鍵１１ｂに組み付けられた質量体３１ｂの質量も、黒鍵１１ｂの前後方向の長さが長くなるに従って、すなわち高音から低音に向かうに従って小さくなっている。なお、本発明は離鍵時における白鍵１１ｗの上面前端の高さを統一することを重要視しているので、黒鍵１１ｂ部分の鍵盤については図示省略するとともに、下記の動作説明も省略する。
【００６３】
このように構成した第３実施形態においても、白鍵１１ｗが押離鍵操作されれば、ハンマー１６ｗの質量体１６ｗ３は下限ストッパ２０と上限ストッパ２１との間で揺動する。この場合、上限ストッパ２１の緩衝材２１ｂの荷重による弾性変形量は小さいので、離鍵時におけるハンマー１６ｗの質量体１６ｗ３の上下方向の位置の変化は無視されて一定である。一方、駆動部１１ｗ１の緩衝材１１ｗ２の荷重Ｆｗに対する弾性変形量は大きいので、質量体３１ｗの質量Ｗｋにより緩衝材１１ｗ２が弾性変形して、緩衝材１１ｗ２が弾性変形しない場合に比べて、離鍵時における駆動部１１ｗ１は下方へ変位することになる。したがって、白鍵１１ｗの前端部は、緩衝材１１ｗ２が弾性変形しない状態の白鍵１１ｗ（図１０の破線参照）に比べて、緩衝材１１ｗ２の変形により、図１０の実線に示すように下方に変位する。この白鍵１１ｗ（駆動部１１ｗ１）の前端部の下方への変位量は、質量体３１ｗの質量Ｗｋが大きいほど大きい。
【００６４】
この第３実施形態においては、低音側すなわち長い白鍵１１ｗほど質量体３１ｗの質量Ｗｋを小さくしたので、緩衝材１１ｗ２の弾性変形による低音側すなわち長い白鍵１１ｗの前端の下方への変位量は、高音側すなわち短い白鍵１１ｗに比べて小さくなる。上記第１実施形態で説明したように、白鍵１１ｗの上面前端の高さは、緩衝材１１ｗ２の弾性変形を考慮しなければ、高音側すなわち短い白鍵１１ｗほど高くなる。したがって、前記のように、低音側すなわち長い白鍵１１ｗ内に組付けた質量体３１ｗの質量Ｗｋを、高音側すなわち短い白鍵１１ｗ内に組付けた質量体３１ｗの質量Ｗｋよりも小さくことにより、低音側すなわち長い白鍵１１ｗと高音側すなわち短い白鍵１１ｗとの上面前端の高さのずれを修正できる。言い換えれば、白鍵１１ｗ内に組付けた質量体３１ｗの質量Ｗｋと、緩衝材１１ｗ２の荷重に対する弾性変形量を調整することにより、離鍵時における白鍵１１ｗの上面前端の高さを一致させることができる。
【００６５】
この第３実施形態に関しても、上述の場合と同様に、数値例を挙げておく。例えば、下記表６に示すように、長い側（低音側）の白鍵１１ｗの質量体１６ｗ３，３１ｗの質量Ｗｈ−Ｌ，Ｗｋ−Ｌをそれぞれ４・Ｍ，２・Ｍとし、短い側（低音側）の白鍵１１ｗの質量体１６ｗ３，３１ｗの質量Ｗｈ−Ｓ，Ｗｋ−Ｓをそれぞれ４・Ｍ，３・Ｍとする。この場合、長い側（低音側）の白鍵１１ｗの駆動部１１ｗ１の緩衝材１１ｗ２に与える荷重Ｆｗ−Ｌ、静的荷重Ｆｓ−Ｌ及び動的荷重Ｆａ−Ｌはそれぞれ２・Ｍ，２・Ｍ，６・Ｍとなり、短い側（高音側）の白鍵１１ｗの駆動部１１ｗ１の緩衝材１１ｗ２に与える荷重Ｆｗ−Ｓ、静的荷重Ｆｓ−Ｓ及び動的荷重Ｆａ−Ｓはそれぞれ３・Ｍ，１・Ｍ，７・Ｍとなる。これらの数値は、長い側（低音側）の白鍵１１ｗの上面前端の高さと短い側（高音側）の白鍵１１ｗの上面前端の高さとを一致させて鍵盤装置の外観を良好にするものであるが、静的荷重Ｆｓ及び動的荷重Ｆａに関する押離鍵時の操作感覚に関しては必ずしも好ましくない。したがって、この第３実施形態によっても、押離鍵時の静的荷重Ｆｓ及び動的荷重Ｆａに関する操作感覚を重視しなければ、鍵盤装置の外観を良好にできる。
【００６６】
【表６】
2015034853.tif 000008
【００６７】
ｃ１．第１変形例
次に、前記第３実施形態においてハンマー１６ｗの質量体１６ｗ３を白鍵１１ｗの音高に応じて異ならせるようにした上記第３実施形態の第１変形例について説明する。この場合、ハンマー１６ｗの質量体１６ｗ３の質量Ｗｈを長い側（低音側）の白鍵１１ｗほど大きくして、異なる音高の白鍵１１ｗに対して、押離鍵操作時における静的荷重Ｆｓを同じにするとともに、押離鍵操作時における動的荷重Ｆａを長い側（低音側）の白鍵１１ｗほど大きくする。他の構成については、上記第３実施形態の場合と同じである。
【００６８】
この第１変形例における具体的な数値例を挙げておく。例えば、下記表７に示すように、長い側（低音側）の白鍵１１ｗの質量体１６ｗ３，３１ｗの質量Ｗｈ−Ｌ，Ｗｋ−Ｌをそれぞれ４・Ｍ，２・Ｍとし、短い側（低音側）の白鍵１１ｗの質量体１６ｗ３，３１ｗの質量Ｗｈ−Ｓ，Ｗｋ−Ｓをそれぞれ１・Ｍ，３・Ｍとする。この場合も、上限ストッパ２１の緩衝材２１ｂの弾性変形量はごくわずかであって無視され、長い側（低音側）の白鍵１１ｗの駆動部１１ｗ１の緩衝材１１ｗ２に与える荷重Ｆｗ−Ｌ、静的荷重Ｆｓ−Ｌ及び動的荷重Ｆａ−Ｌはそれぞれ２・Ｍ，２・Ｍ，６・Ｍとなり、短い側（高音側）の白鍵１１ｗの駆動部１１ｗ１の緩衝材１１ｗ２に与える荷重Ｆｗ−Ｓ、静的荷重Ｆｓ−Ｓ及び動的荷重Ｆａ−Ｓはそれぞれ３・Ｍ，２・Ｍ，４・Ｍとなる。これによれば、上記第３実施形態の場合と同様に、長い側（低音側）の白鍵１１ｗの上面前端の高さと短い側（高音側）の白鍵１１ｗの上面前端の高さとを一致させて鍵盤装置の外観を良好にすることができる。また、静的荷重Ｆｓは長い側（低音側）の白鍵１１ｗと短い側（高音側）の白鍵１１ｗとで同じになり、動的荷重Ｆａは長い側（低音側）の白鍵１１ｗで短い側（高音側）の白鍵１１ｗよりも大きくなるので、押離鍵時の静的荷重Ｆｓ及び動的荷重Ｆａに関する操作感覚を共に良好にできる。
【００６９】
【表７】
2015034853.tif 000009
【００７０】
ｄ．第４実施形態  
次に、本発明の第４実施形態について説明する。上記第１及び第２実施形態では上限ストッパ２１の緩衝材２１ｂを荷重Ｆｗに応じて弾性変形するように構成し、上記第３実施形態では駆動部１１ｗ１の緩衝材１１ｗ２が荷重Ｆｗに応じて弾性変形するように構成した。この第４実施形態においては、図１１に示すように、ハンマー１６ｗの基部１６ｗ１に設けた貫通孔Ｈｗの直径を上記第１乃至第３実施形態の場合よりも大きくし、貫通孔Ｈｗとハンマー支持部１８ｗの突出部１８ｗ１との間に、荷重Ｆｗに応じて弾性変形し易い円筒状の弾性支持部材１８ｗ２を介在させるようにしている。すなわち、ハンマー支持部１８ｗの突出部１８ｗ１は、弾性支持部材１８ｗ２内に、その外周面を弾性支持部材１８ｗ２の内周面に当接するように挿入されている。前記緩衝材２１ｂ，１１ｗ２は多少弾性変形するが荷重Ｆｗに応じてほとんど弾性変形しないように構成されており、それ以外の構成は、上記第３実施形態の場合と同様であり、上記図１０と同一符号を付して説明を省略する。すなわち、この第４実施形態においても、白鍵１１ｗに組み付けられた質量体３１ｗの質量Ｗｋは、白鍵１１ｗの前後方向の長さが長くなるに従って（高音から低音に向かうに従って）小さくなるように構成されているとともに、ハンマー１６ｗは全ての白鍵１１ｗ及び黒鍵１１ｂについて共通に構成されていて、ハンマー１６ｗの質量体１６ｗ３の質量Ｗｈは全ての白鍵１１ｗ及び黒鍵１１ｂについて共通である。
【００７１】
また、黒鍵１１ｂの場合も、白鍵１１ｗと同様に構成されており、質量体３１ｗは、黒鍵１１ｂの内側であって、各黒鍵１１ｂの前端からほぼ同一距離の位置に組み付けられている。この黒鍵１１ｂに組み付けられた質量体３１ｂの質量も、黒鍵１１ｂの前後方向の長さが長くなるに従って、すなわち高音から低音に向かうに従って小さくなっている。なお、本発明は離鍵時おける白鍵１１ｗの上面前端の高さを統一することを重要視しているので、この第４実施形態においても、黒鍵１１ｂ部分の鍵盤については図示省略するとともに、下記の動作説明も省略する。
【００７２】
このように構成した第４実施形態においても、白鍵１１ｗが押離鍵操作されれば、ハンマー１６ｗの質量体１６ｗ３は下限ストッパ２０と上限ストッパ２１との間で揺動する。この場合、上限ストッパ２１の緩衝材２１ｂの荷重による弾性変形量は小さいので、離鍵時におけるハンマー１６ｗの質量体１６ｗ３の上下方向の位置の変化は無視されて一定である。また、駆動部１１ｗ１の緩衝材１１ｗ２の荷重Ｆｗに対する弾性変形量も小さいので、離鍵時における緩衝材１１ｗ２の弾性変形による駆動部１１ｗ１の下方への変位も無視される。一方、ハンマー１６ｗの基部１１ｗ１は弾性変形し易い弾性支持部材１８ｗ２を介してハンマー支持部１８ｗに支持されているので、質量体３１ｗの質量Ｗｋにより弾性支持部材１８ｗ２が弾性変形して、ハンマー１６ｗの揺動支点が質量体３１ｗの質量Ｗｋに応じて下方に変位する。これにより、離鍵時における白鍵１１ｗの駆動部１１ｗ１は、ハンマー１６ｗの揺動支点が下方に変位しない場合に比べて、ある程度大きく下方へ変位することになる。すなわち、白鍵１１ｗの前端部は、弾性支持部材１８ｗ２を設けない場合（図１１の破線参照）に比べて、弾性支持部材１８ｗ２の変形により、図１１の実線に示すように下方に変位する。この白鍵１１ｗ（駆動部１１ｗ１）の前端部の下方への変位量は、質量体３１ｗの質量Ｗｋが大きいほど大きい。
【００７３】
この第４実施形態においては、低音側すなわち長い白鍵１１ｗほど質量体３１ｗの質量Ｗｋを小さくしたので、弾性支持部材１８ｗ２による低音側すなわち長い白鍵１１ｗの下方への変位量は、高音側すなわち短い白鍵１１ｗに比べて小さくなる。したがって、上記第３実施形態の場合と同様に、低音側すなわち長い白鍵１１ｗ内に組付けた質量体３１ｗの質量Ｗｋを、高音側すなわち短い白鍵１１ｗ内に組付けた質量体３１ｗの質量Ｗｋよりも小さくすることにより、低音側すなわち長い白鍵１１ｗと高音側すなわち短い白鍵１１ｗとの上面前端の高さのずれを修正できる。言い換えれば、白鍵１１ｗ内に組付けた質量体３１ｗの質量Ｗｋと、弾性支持部材１８ｗ２の荷重に対する弾性変形量を調整することにより、離鍵時における白鍵１１ｗの上面前端の高さを一致させることができる。
【００７４】
この第４実施形態における白鍵１１ｗの上面前端の高さと質量体３１ｗの質量Ｗｋとの関係に関しては、上記第３実施形態と同じであるので、長い側（低音側）及び短い側（高音側）の白鍵１１ｗの質量体１６ｗ３，３１ｗの質量Ｗｈ−Ｌ，Ｗｋ−Ｌ，Ｗｈ−Ｓ，Ｗｋ−Ｓの数値例としては、例えば、上述した第３実施形態の場合と同様な表６に示すようにする。ただし、上記表６においては、駆動部１１ｗ１の荷重Ｆｗではなく、ハンマー１６ｗの支持部である弾性支持部材１８ｗ２に対する荷重Ｆｗ（表６中の括弧内参照）を用いる。したがって、この第４実施形態においても、長い側（低音側）及び短い側（高音側）の白鍵１１ｗに関する荷重Ｆｗ、静的荷重Ｆｓ及び動的荷重Ｆａは上記第３実施形態の場合と同じになる。その結果、この第４実施形態においても、上記第３実施形態と同様に、長い側（低音側）の白鍵１１ｗの上面前端の高さと短い側（高音側）の白鍵１１ｗの上面前端の高さとを一致させて鍵盤装置の外観を良好にできる。ただし、この場合も、静的荷重Ｆｓ及び動的荷重Ｆａに関する押離鍵時の操作感覚に関しては必ずしも好ましくない。よって、この第４実施形態によっても、押離鍵時の静的荷重Ｆｓ及び動的荷重Ｆａに関する操作感覚を重視しなければ、鍵盤装置の外観を良好にできる。
【００７５】
ｄ１．第１変形例
次に、前記第４実施形態において、ハンマー１６ｗの質量体１６ｗ３を白鍵１１ｗの音高に応じて異ならせるようにした上記第４実施形態の第１変形例について説明する。この場合、上記第３実施形態の第１変形例と同様に、ハンマー１６ｗの質量体１６ｗ３の質量Ｗｈを長い側（低音側）の白鍵１１ｗほど大きくして、異なる音高の白鍵１１ｗに対して、押離鍵操作時における静的荷重Ｆｓを同じにするとともに、押離鍵操作時における動的荷重Ｆａを長い側（低音側）の白鍵１１ｗほど大きくする。他の構成については、上記第４実施形態の場合と同じである。
【００７６】
この第１変形例における長い側（低音側）及び短い側（高音側）の白鍵１１ｗの質量体１６ｗ３，３１ｗの質量Ｗｈ−Ｌ，Ｗｋ−Ｌ，Ｗｈ−Ｓ，Ｗｋ−Ｓの数値例としては、例えば、上述した第３実施形態の第１変形例の場合と同様な表７に示すようにする。ただし、この場合も、上記表７においては、駆動部１１ｗ１の荷重Ｆｗではなく、ハンマー１６ｗの支持部である弾性支持部材１８ｗ２に対する荷重Ｆｗ（表７中の括弧内参照）を用いる。したがって、この第１変形例においても、長い側（低音側）及び短い側（高音側）の白鍵１１ｗに関する荷重Ｆｗ、静的荷重Ｆｓ及び動的荷重Ｆａは、上記第３実施形態の第１変形例の場合と同じになる。その結果、この第１変形例においても、上記第３実施形態の第１変形例と同様に、長い側（低音側）の白鍵１１ｗの上面前端の高さと短い側（高音側）の白鍵１１ｗの上面前端の高さとを一致させて鍵盤装置の外観を良好にすることができとともに、押離鍵時の静的荷重Ｆｓ及び動的荷重Ｆａに関する操作感覚を共に良好にできる。
【００７７】
ｅ．第５実施形態  
上記第１乃至第４実施形態及びそれらの各種に変形例においては、複数の白鍵１１ｗの上面前端の高さを同じにし、複数の黒鍵１１ｂに関しては、隣合う黒鍵１１ｂは近接していないために、それらの上面前端の高さを同じにすることを問題視しなかった。しかし、上限ストッパ２１の緩衝材２１ｂ、駆動部１１ｂ１の緩衝材１１ｂ２及びハンマー１６ｂを揺動可能に支持ずる弾性支持部材１８ｂ２の荷重Ｆｗによる弾性変形量を大きくすることにより、複数の黒鍵１１ｂの上面前端の高さを同じにすることも可能である。
【００７８】
ｅ１．第１具体例
まず、上限ストッパ２１の緩衝材２１ｂの荷重Ｆｗによる弾性変形量を大きくした第１具体例について、図１２を用いて説明する。この第１具体例においては、上記第１実施形態の場合と同様に、荷重Ｆｗによる弾性変形量が大きくなるように上限ストッパ２１の緩衝材２１ｂを構成しておく。また、この第１具体例においては、図１２に破線で示すように、長い側（低音側）の黒鍵１１ｂのためのハンマー１６ｂの質量体１６ｂ３の質量Ｗｈ−Ｌを、上記第１実施形態の場合とは逆に、短い側（高音側）の黒鍵１１ｂのための質量Ｗｈ−Ｓに比べて小さくしておく。それ以外の構成は上記第１実施形態において図３を用いて説明した黒鍵１１ｂの構成と同じであるので、図３と同一符号を付して説明を省略する。
【００７９】
この第１具体例においても、上記第１実施形態の場合と同様に、ハンマー１６ｂの質量体１６ｂ３の質量Ｗｈにより、黒鍵１１ｂの離鍵時における上限ストッパ２１の緩衝材２１ｂが弾性変形して、緩衝材２１ｂの変形量がごく僅かである場合（図示破線参照）に比べて、実線で示すように質量体１６ｂ３は下方に変位する。これにより、ハンマー１６ｂは揺動中心軸周りに図示時計方向に若干回転し、基部１６ｂ１は上方に変位し、脚部Ｆｂ２は駆動部１１ｂ１を上方へ押し上げる。したがって、黒鍵１１ｂは揺動中心軸周りに反時計方向に僅かに回転し、黒鍵１１ｂの上面前端は上方へ若干変位する。
【００８０】
一方、黒鍵１１ｂにあっては、上記第１実施形態において図８を用いて説明したように、緩衝材２１ｂの弾性変形量がごく僅かであれば、黒鍵１１ｂの上面前端は駆動部１１ｂ１よりも後方に位置するので、白鍵１１ｗの場合とは逆に、長い側（低音側）の黒鍵１１ｂの上面前端が短い側（高音側）の黒鍵１１ｂの上面前端よりも高くなる。しかし、前述のように、長い側（低音側）の黒鍵１１ｂのためのハンマー１６ｂの質量体１６ｂ３の質量Ｗｈ−Ｌは、上記第１実施形態の場合とは逆に、短い側（高音側）の黒鍵１１ｂのための質量Ｗｈ−Ｓに比べて小さいので、黒鍵１１ｂの上面前端の上方への変位は、長い黒鍵１１ｂ（低音側の黒鍵１１ｂ）ほど小さくなる。
【００８１】
したがって、この第１具体例においても、複数の黒鍵１１のためのハンマー１６ｂの質量体１６ｂ３の質量Ｗｈと、上限ストッパ２１の緩衝材２１ｂの荷重Ｆｗに対する弾性変形量とを調整することにより、離鍵時における複数の黒鍵１１ｂの上面前端の高さを同じにすることができ、鍵盤の外観を良好にできる。しかしながら、上記第１実施形態において図４を用いて説明した黒鍵１１ｂのための質量体１６ｗ３の質量Ｗｈの変化曲線とは逆になり、黒鍵１１ｂの押離鍵操作感覚があまり好ましいものではなくなる。
【００８２】
ただし、この場合も、図１２に破線で示すように、黒鍵１１ｂ内に質量体３１ｂを組付けておき、質量体３１ｂの質量Ｗｋを黒鍵１１ｂの長さに応じて、すなわち音高に応じて異ならせることにより、静的荷重Ｆｓ及び動的荷重Ｆａを黒鍵１１ｂの長さ（音高）に応じて調整することも可能である。
【００８３】
ｅ２．第２具体例
次に、黒鍵１１ｂの駆動部１１ｂ１の緩衝材１１ｂ２の荷重Ｆｗによる弾性変形量を大きくした第２具体例について、図１３を用いて説明する。この第２具体例においても、第３実施形態の場合と同様に、黒鍵１１ｂの駆動部１１ｂ１の荷重Ｆｗによる弾性変形量が大きくなるように緩衝材１１ｂ２を構成する。なお、上限ストッパ２１の緩衝材２１ｂは荷重Ｆｗに応じてほとんど弾性変形しないように構成されているとともに、ハンマー１６ｂの揺動支点も変位しないように構成されている。また、この場合も、黒鍵１１ｂ内には質量体３１ｂが組付けられている。この場合の質量体３１ｂの質量Ｗｋは、黒鍵１１ｂの前後方向の長さが長くなるに従って、すなわち高音から低音に向かうに従って大きくなるように構成されている。ハンマー１６ｗ，１６ｂは全ての白鍵１１ｗ及び黒鍵１１ｂについて共通に構成されており、ハンマー１６ｗ，１６ｂの質量体１６ｗ３の質量Ｗｈは全ての白鍵１１ｗ及び黒鍵１１ｂについて共通である。それ以外の構成は上記第１実施形態において図３を用いて説明した黒鍵１１ｂの構成と同じであるので、図３と同一符号を付して説明を省略する。
【００８４】
この第２具体例の場合、上記第３実施形態の場合と同様に、黒鍵１１ｂ内の質量体３１ｂの質量Ｗｋにより、黒鍵１１ｂの離鍵時における駆動部１１ｂ１の緩衝材１１ｂ２が弾性変形して、緩衝材１１ｂ２の変形量がごく僅かである場合（図示破線参照）に比べて、実線で示すように、黒鍵１１ｂの駆動部１１ｂ１及び前端部は下方に変位する。
【００８５】
一方、この場合も、前述のように、黒鍵１１ｂにあっては、緩衝材１１ｂ２の弾性変形量がごく僅かであれば、白鍵１１ｗの場合とは逆に、長い側（低音側）の黒鍵１１ｂの上面前端が短い側（高音側）の黒鍵１１ｂの上面前端よりも高くなる。しかし、この第２具体例においては、長い側（低音側）の黒鍵１１ｂ内の質量体３１ｂの質量Ｗｋ−Ｌは、上記第３実施形態の場合とは逆に、短い側（高音側）の黒鍵１１ｂ内の質量体３１ｂの質量Ｗｋ−Ｓに比べて大きいので、黒鍵１１ｂの上面前端の下方への変位は、長い黒鍵１１ｂ（低音側の黒鍵１１ｂ）ほど大きくなる。したがって、複数の黒鍵１１ｂ内の質量体３１ｂの質量Ｗｋと、駆動部１１ｂ１の緩衝材１１ｂ２の荷重Ｆｗに対する弾性変形量とを調整することにより、離鍵時における複数の黒鍵１１ｂの上面前端の高さを同じにすることができ、鍵盤の外観を良好にできる。
【００８６】
この場合も、上記第１乃至第４実施形態の場合と同様に、数値例を挙げておく。例えば、下記表８に示すように、長い側（低音側）の黒鍵１１ｂの質量体１６ｂ３，３１ｂの質量Ｗｈ−Ｌ，Ｗｋ−Ｌをそれぞれ４・Ｍ，３・Ｍとし、短い側（低音側）の黒鍵１１ｂの質量体１６ｂ３，３１ｂの質量Ｗｈ−Ｓ，Ｗｋ−Ｓをそれぞれ４・Ｍ，２・Ｍとする。この場合、長い側（低音側）の黒鍵１１ｂの駆動部１１ｂ１の緩衝材１１ｂ２に与える荷重Ｆｗ−Ｌ、静的荷重Ｆｓ−Ｌ及び動的荷重Ｆａ−Ｌはそれぞれ３・Ｍ，１・Ｍ，７・Ｍとなり、短い側（高音側）の黒鍵１１ｂの駆動部１１ｂ１の緩衝材１１ｂ２に与える荷重Ｆｗ−Ｓ、静的荷重Ｆｓ−Ｓ及び動的荷重Ｆａ−Ｓはそれぞれ２・Ｍ，２・Ｍ，６・Ｍとなる。これらの数値は、長い側（低音側）の黒鍵１１ｂの上面前端の高さと短い側（高音側）の黒鍵１１ｂの上面前端の高さとを一致させて鍵盤装置の外観を良好にするとともに、動的荷重Ｆａに関する押離鍵時の操作感覚を良好にするものであるが、静的荷重Ｆｓに関する押離鍵時の操作感覚に関しては必ずしも好ましくない。したがって、この第２具体例においても、押離鍵時の静的荷重Ｆｓに関する操作感覚を重視しなければ、鍵盤装置の外観を良好にできるとともに、押離鍵時の動的荷重Ｆａに関する操作感覚を良好にできる。
【００８７】
【表８】
2015034853.tif 000010
【００８８】
ｅ３．第２具体例の変形例
次に、ハンマー１６ｂの質量体１６ｂ３を黒鍵１１ｂの音高に応じて異ならせるようにした上記第２具体例の変形例について説明する。この場合、ハンマー１６ｂの質量体１６ｂ３の質量Ｗｈを長い側（低音側）の黒鍵１１ｂほど大きくして、異なる音高の黒鍵１１ｂに対して、押離鍵操作時における静的荷重Ｆｓを同じにするとともに、押離鍵操作時における動的荷重Ｆａを長い側（低音側）の黒鍵１１ｂほど大きくする。他の構成については、上記第２具体例の場合と同じである。
【００８９】
この変形例における具体的な数値例を挙げておく。例えば、下記表９に示すように、長い側（低音側）の黒鍵１１ｂの質量体１６ｂ３，３１ｂの質量Ｗｈ−Ｌ，Ｗｋ−Ｌをそれぞれ４・Ｍ，３・Ｍとし、短い側（低音側）の黒鍵１１ｂの質量体１６ｂ３，３１ｂの質量Ｗｈ−Ｓ，Ｗｋ−Ｓをそれぞれ３・Ｍ，２・Ｍとする。この場合も、上限ストッパ２１の緩衝材２１ｂの弾性変形量はごくわずかであって無視されるので、長い側（低音側）の黒鍵１１ｂの駆動部１１ｂ１の緩衝材１１ｂ２に与える荷重Ｆｗ−Ｌ、静的荷重Ｆｓ−Ｌ及び動的荷重Ｆａ−Ｌはそれぞれ３・Ｍ，１．Ｍ，７・Ｍとなり、短い側（高音側）の黒鍵１１ｂの駆動部１１ｂ１の緩衝材１１ｂ２に与える荷重Ｆｗ−Ｓ、静的荷重Ｆｓ−Ｓ及び動的荷重Ｆａ−Ｓはそれぞれ２・Ｍ，１．Ｍ，５・Ｍとなる。これによれば、上記第２具体例の場合と同様に、長い側（低音側）の黒鍵１１ｂの上面前端の高さと短い側（高音側）の黒鍵１１ｂの上面前端の高さとを一致させて鍵盤装置の外観を良好にすることができる。また、静的荷重Ｆｓは長い側（低音側）の黒鍵１１ｂと短い側（高音側）の黒鍵１１ｂとで同じになり、動的荷重Ｆａは長い側（低音側）の黒鍵１１ｂで短い側（高音側）の黒鍵１１ｂよりも大きくなるので、押離鍵時の静的荷重Ｆｓ及び動的荷重Ｆａに関する操作感覚を共に良好にできる。
【００９０】
【表９】
2015034853.tif 000011
【００９１】
ｅ４．第３具体例
次に、駆動部１１ｂ１の緩衝材１１ｂ２及びハンマー１６ｂを揺動可能に支持ずる弾性支持部材１８ｂ２の荷重Ｆｗによる弾性変形量を大きくした第３具体例について、図１４を用いて説明する。この第４具体例においても、第４実施形態の場合と同様に、ハンマー１６ｂの基部１６ｂ１に設けた貫通孔Ｈｂの直径を大きくし、貫通孔Ｈｂとハンマー支持部１８ｂの突出部１８ｂ１との間に、荷重Ｆｗに応じて弾性変形し易い円筒状の弾性支持部材１８ｂ２を介在させるようにしている。すなわち、ハンマー支持部１８ｂの突出部１８ｂ１は、弾性支持部材１８ｂ２内に、その外周面を弾性支持部材１８ｂ２の内周面に当接するように挿入されている。前記緩衝材２１ｂ，１１ｂ２は多少弾性変形するが荷重Ｆｗに応じてほとんど弾性変形しないように構成されており、それ以外の構成は、上記第２具体例と同じである。
【００９２】
この第３具体例の場合、上記第３実施形態の場合と同様に、黒鍵１１ｂ内の質量体３１ｂの質量Ｗｋにより、黒鍵１１ｂの離鍵時における駆動部１１ｂ１の緩衝材１１ｂ２が弾性変形して、緩衝材１１ｂ２の変形量がごく僅かである場合（図示破線参照）に比べて、実線で示すように、黒鍵１１ｂの駆動部１１ｂ１及び前端部は下方に変位する。
【００９３】
一方、この場合も、前述のように、黒鍵１１ｂにあっては、弾性支持部材１８ｂ２の弾性変形量がごく僅かであれば、白鍵１１ｗの場合とは逆に、長い側（低音側）の黒鍵１１ｂの上面前端が短い側（高音側）の黒鍵１１ｂの上面前端よりも高くなる。しかし、この第３具体例においても、前記第２具体例と同様に、長い側（低音側）の黒鍵１１ｂ内の質量体３１ｂの質量Ｗｋ−Ｌは、上記第４実施形態の場合とは逆に、短い側（高音側）の黒鍵１１ｂ内の質量体３１ｂの質量Ｗｋ−Ｓに比べて大きいので、黒鍵１１ｂの上面前端の下方への変位は、長い黒鍵１１ｂ（低音側の黒鍵１１ｂ）ほど大きくなる。したがって、複数の黒鍵１１ｂ内の質量体３１ｂの質量Ｗｋと、駆動部１１ｂ１の弾性支持部材１８ｂ２の荷重Ｆｗに対する弾性変形量とを調整することにより、離鍵時における複数の黒鍵１１ｂの上面前端の高さを同じにすることができ、鍵盤の外観を良好にできる。
【００９４】
この第３具体例における黒鍵１１ｂの上面前端の高さと質量体３１ｂの質量Ｗｋとの関係に関しては、上記第２具体例と同じであるので、長い側（低音側）及び短い側（高音側）の黒鍵１１ｂの質量体１６ｂ３，３１ｂの質量Ｗｈ−Ｌ，Ｗｋ−Ｌ，Ｗｈ−Ｓ，Ｗｋ−Ｓの数値例としては、例えば、上述した第２具体例の場合と同様な表８に示すようにする。ただし、上記表８においては、駆動部１１ｂ１の荷重Ｆｗではなく、ハンマー１６ｂの支持部である弾性支持部材１８ｂ２に対する荷重Ｆｗ（表６中の括弧内参照）を用いる。したがって、この第３具体例においても、長い側（低音側）及び短い側（高音側）の黒鍵１１ｂに関する荷重Ｆｗ、静的荷重Ｆｓ及び動的荷重Ｆａは上記第２具体例の場合と同じになる。その結果、この第３具体例においても、上記第２具体例と同様に、長い側（低音側）の黒鍵１１ｂの上面前端の高さと短い側（高音側）の黒鍵１１ｂの上面前端の高さとを一致させて鍵盤装置の外観を良好にできるとともに、動的荷重Ｆａに関する押離鍵時の操作感覚も良好になる。ただし、この場合も、静的荷重Ｆｓに関する押離鍵時の操作感覚に関しては必ずしも好ましくない。よって、この第３具体例によっても、押離鍵時の静的荷重Ｆｓに関する操作感覚を重視しなければ、鍵盤装置の外観を良好にできるとともに、押離鍵時の動的荷重Ｆａに関する操作感覚を良好にできる。
【００９５】
ｅ５．第３具体例の変形例
次に、ハンマー１６ｂの質量体１６ｂ３を黒鍵１１ｂの音高に応じて異ならせるようにした上記第３具体例の変形例について説明する。この場合、上記第２具体例の変形例と同様に、ハンマー１６ｂの質量体１６ｂ３の質量Ｗｈを長い側（低音側）の黒鍵１１ｂほど大きくして、異なる音高の黒鍵１１ｂに対して、押離鍵操作時における静的荷重Ｆｓを同じにするとともに、押離鍵操作時における動的荷重Ｆａを長い側（低音側）の黒鍵１１ｂほど大きくする。他の構成については、上記第３具体例の場合と同じである。
【００９６】
この変形例における長い側（低音側）及び短い側（高音側）の黒鍵１１ｂの質量体１６ｂ３，３１ｂの質量Ｗｈ−Ｌ，Ｗｋ−Ｌ，Ｗｈ−Ｓ，Ｗｋ−Ｓの数値例としては、例えば、上述した第２具体例の変形例の場合と同様な表９に示すようにする。ただし、この場合も、上記表９においては、駆動部１１ｂ１の荷重Ｆｗではなく、ハンマー１６ｂの支持部である弾性支持部材１８ｂ２に対する荷重Ｆｗ（表９の括弧内参照）を用いる。したがって、この変形例においても、長い側（低音側）及び短い側（高音側）の黒鍵１１ｂに関する荷重Ｆｗ、静的荷重Ｆｓ及び動的荷重Ｆａは上記第２具体例の変形例の場合と同じになる。その結果、この変形例においても、上記第２具体例の変形例と同様に、長い側（低音側）の黒鍵１１ｂの上面前端の高さと短い側（高音側）の黒鍵１１ｂの上面前端の高さとを一致させて鍵盤装置の外観を良好にすることができるとともに、押離鍵時の静的荷重Ｆｓ及び動的荷重Ｆａに関する操作感覚を共に良好にできる。
【００９７】
ｆ．第６実施形態
次に、ハンマー１６ｗを用いない電子楽器の鍵盤装置に本発明を適用した第６実施形態について説明する。この第６実施形態においても、白鍵１１ｗは、図１５に示すように、その後端部にて、上記第１実施形態の場合と同様に、鍵フレーム１２の鍵支持部１３ｗに前端が上下方向に変位するように揺動可能に支持されているとともに、白鍵１１ｗの下方であって鍵フレーム１２の上板部１２ａ上にスイッチＳＷ１が設けられている。このスイッチＳＷ１は、全ての白鍵１１ｗについて、前後方向の同一位置に配置されて左右方向に延設されている。また、このＳＷ１は、白鍵１１ｗを押鍵操作したときに、白鍵１１ｗの下方への変位を規制する下限ストッパの機能も兼用している。
【００９８】
さらに、この場合も、白鍵１１ｗにおいては、前後方向の全長は低音側ほど長く、鍵支持部１３ｗから白鍵１１ｗの上面前端までの距離Ｌｗ２も低音側ほど長く設定されている。鍵支持部１３ｗの突出部１３ｗ１及び白鍵１１ｗに設けた貫通孔Ｋｗも、全ての白鍵１１ｗにおいて同一高さに設定されている。鍵フレーム１２は、上板部１２ａの前端から下方に垂直に延設された前板部１２ｇ及び前板部１２ｇの下端から前方へ水平に延設された底板部１２ｈを有する。底板部１２ｈの下面の高さと底板部１２ｆの下面の高さは同じであり、底板部１２ｈの下面も電子楽器のフレームＦＲに当接させて固定されている。
【００９９】
白鍵１１ｗの前部下面には、下方に垂直に一体的に延設された垂直部１１ｗ３と、垂直部１１ｗ３の下端から後方に水平に一体的に延設された水平部１１ｗ４とが設けられている。白鍵１１ｗの前端から垂直部１１ｗ３までの水平距離は全ての白鍵１１ｗについて共通であり、垂直部１１ｗ３の上下方向の長さも、水平部１１ｗ４の水平方向の長さも、全ての白鍵１１ｗについて共通である。垂直部１１ｗ３は鍵フレーム１２の上板部１２ａに設けた開口部１２ａ１を貫通して下方に延設されており、水平部１１ｗ４の上面は鍵フレーム１２の上板部１２ａの下面に対向している。白鍵１１ｗの下面と鍵フレーム１２の上板部１２ａとの間には、白鍵１１ｗを上方に付勢するスプリング３２が設けられている。スプリング３２の前後方向の位置及びスプリング３２の弾性力（すなわち荷重に対する変形量）は、全ての白鍵１１ｗについて共通である。なお、スプリング３２に関しては、白鍵１１の前端部を上方に付勢する弾性体であればよく、例えばスプリング３２に代えてゴムを薄肉に湾曲させた付勢部材を用いることもできる。
【０１００】
上板部１２ａの下面には、白鍵１１ｗの前端部の上方への変位を規制する上限ストッパ３３が設けられている。上限ストッパ３３は、ストッパレール３３ａ及び緩衝材３３ｂからなる。ストッパレール３３ａは、上板部１２ａの中間部の下面から下方へ突出していて、左右方向に延設されていて、白鍵１１ｗの水平部１１ｗ４の上方に位置している。また、ストッパレール３３ａにおいては、上板部１２ａの下面からの突出量は左右方向に一定である。そして、ストッパレール３３ａの下端面には緩衝材３３ｂが固着されている。緩衝材３３ｂは、ゴム、フエルトなどの弾性変形する緩衝材によって構成した長尺状の部材である。緩衝材３３ｂは、一端から他端に至るまで断面形状が同一である。ただし、この場合には、緩衝材３３ｂは、上方への付勢力の大きさによって弾性変形量が異なるように構成されている。例えば、上記第１実施形態の上限ストッパ２１の緩衝材２１ｂの場合と同様に、緩衝材３３ｂを、荷重の増加により変形量が大きな材料を用いて構成したり、荷重の増加により変形量が大きくなるように厚く形成したりする。
【０１０１】
複数の白鍵１１ｗ内には、質量体３４ｗがそれぞれ組み付けられている。質量体３４ｗの質量Ｗｋは、低音すなわち長い白鍵１１ｗほど軽くなるように、音高に応じて異ならせてある。また、黒鍵１１ｂに関しても、白鍵１１ｗと同様に、鍵フレーム１２の鍵支持部１３ｂに前端が上下方向に変位するように揺動可能に支持されている。そして、黒鍵１１ｂにおいても、前後方向の全長は低音側ほど長く、鍵支持部１３ｂから白鍵１１ｗの上面前端までの距離Ｌｗ２も低音側ほど長く設定され、白鍵１１ｗの場合と同様に構成されている。しかし、黒鍵１１ｂも鍵の形状が白鍵１１ｗとは異なるだけで、他の構造は白鍵１１ｗと同じであるので、黒鍵１１ｂに図示省略する。
【０１０２】
このように構成した第６実施形態においては、白鍵１１ｗが押鍵されれば、白鍵１１ｗの前端部はスプリング３２の付勢力に抗して下方に変位する。そして、白鍵１１ｗが離鍵されれば、白鍵１１ｗの前端部はスプリング３２の付勢力により上方へ変位し、白鍵１１ｗの水平部１１ｗ４が上限ストッパ３３に当接して白鍵１１ｗの前端部の上方への変位が規制される。この場合も、緩衝材３３ｂがほとんど弾性変形せず、複数の白鍵１１ｗに対して共通であれば、揺動支点から垂直部１１ｗ３までの距離は白鍵１１ｗの長さ（音高）に応じて異なり、離鍵時における白鍵１１ｗの揺動支点を中心とした回転角度は白鍵１１ｗが長いほど小さくなるので、上記第１実施形態で図６を用いて説明したように、白鍵１１ｗの上面前端の高さは長い側（低音側）の白鍵１１ｗほど低くなる。しかし、この第６実施形態では、低音側の白鍵１１ｗの質量体３４ｗの質量Ｗｋが軽いので、上限ストッパ３３の緩衝材３３ｂの弾性変形量は低音側ほど大きくなって、白鍵１１ｗの水平部１１ｗ４は低音側ほど上方へ変位した位置で停止するようになる。その結果、この第６実施形態においても、スプリング３２の弾性力と、複数の白鍵１１ｗの質量体３４ｗの質量Ｗｋとを調整することにより、複数の白鍵１１ｗの上面前端の高さを一致させることができる。なお、黒鍵１１ｂについても同様である。
【０１０３】
しかし、この場合、長い白鍵１１ｗの静的荷重Ｆｓ−Ｌ及び動的荷重Ｆａ−Ｌは、短い白鍵１１ｗの静的荷重Ｆｓ−Ｓ及び動的荷重Ｆａ−Ｓよりも共に大きくなり、押離鍵時の操作感覚に関しては必ずしも好ましくない。したがって、この第６実施形態によっても、押離鍵時の静的荷重Ｆｓ及び動的荷重Ｆａに関する操作感覚を重視しなければ、長い側（低音側）の白鍵１１ｗの上面前端の高さと、短い側（高音側）の白鍵１１ｗの上面前端の高さとを一致させるという鍵盤装置の外観を良好にできる。この点は、黒鍵１１ｂについても同様である。
【０１０４】
ｇ．その他の変形例
さらに、本発明の実施にあたっては、上記各種実施形態及びそれらの各種変形例に限定されるものではなく、本発明の目的を逸脱しない限りにおいて種々の変更が可能である。
【０１０５】
上記第２実施形形態、その第２及び第３変形例、第３実施形態及びその第１変形例、第４実施形態及びその第１変形例、並びに第６実施形態においては、音高に応じて異なる質量の質量体３１ｗを白鍵１１ｗに設けるように説明した。また、上記第５実施形態の第２及び第３具体例においては、音高に応じて異なる質量の質量体３１ｂを黒鍵１１ｂに設けるように説明した。すなわち、長さが異なる鍵１１ａ，１１ｂに対して異なる質量の質量体３１ｗ，３１ｂを組付けて、質量体３１ｗ、３１ｂに起因した緩衝材２１ｂ，１１ｗ２，１１ｂ２，３３ｂ又は弾性支持部材１８ｗ２，１８ｂ２の弾性変形量を鍵１１ａ，１１ｂの長さに応じて異ならせるように説明した。しかし、これに代えて、長さが異なる鍵１１ｗ、１１ｂに対して、同じ質量の質量体３１ｗ，３１ｂを用いても、質量体３１ｗ，３１ｂの鍵１１ｗ，１１ｂに対する取付け位置を異ならせれば（質量体３１ｗ，３１ｂの重心位置を異ならせれば）、前記場合と同様な機能を達成できる。すなわち、緩衝材２１ｂ，１１ｗ２，１１ｂ２，３３ｂ又は弾性支持部材１８ｗ２，１８ｂ２の弾性変形量に対する影響は、鍵１１ｗ，１１ｂの揺動支点から質量体３１ｗ，３１ｂの重心位置までの距離と、質量体３１ｗ，３１ｂの質量の積に関係するので、前記質量体３１ｗ，３１ｂの質量を鍵１１ｗ，１１ｂの長さに応じて異ならせてなくても、質量体３１ｗ，３１ｂの鍵１１ｗ，１１ｂに対する取付け位置すなわち重心位置を異ならせれば、質量体３１ｗ、３１ｂに起因した緩衝材２１ｂ，１１ｗ２，１１ｂ２，３３ｂ又は弾性支持部材１８ｗ２，１８ｂ２の弾性変形量を鍵１１ｗ、１１ｂの長さに応じて変更することができる。すなわち、上記説明において質量の大きな質量体３１ｗ，３１ｂを必要とする場合には、鍵１１ｗ，１１ｂの揺動支点である鍵支持部１３ｗ，１３ｂから遠い位置に質量体３１ｗ，３１ｂを組付けて、質量体３１ｗ，３１ｂの重心位置を調整するようにすればよい。また、質量体３１ｗ，３１ｂの質量を鍵１１ｗ，１１ｂの長さに応じて異ならせることと、質量体３１ｗ、３１ｂの取付け位置（重心位置）を鍵１１ｗ，１１ｂの長さに応じて異ならせることとを組み合わせるようにしてもよい。
【０１０６】
さらに、上記各種実施形態、各種変形例及び各種具体例においては、ハンマー１６ｗ、１６ｂの質量体１６ｗ３，１６ｂ３の質量を音高に応じて異ならせるようにした例について説明した。しかし、この場合も、質量体１６ｗ３，１６ｂ３の質量を異ならせる代わりに、質量体１６ｗ３，１６ｂ３の形状を異ならせることにより、質量体１６ｗ３，１６ｂ３の重心位置を音高に応じて異ならせるようにしてもよい。すなわち、この場合も、質量の大きな質量体１６ｗ３，１６ｂ３を必要とする場合には、ハンマー１６ｗ，１６ｂの揺動支点であるハンマー支持部１８ｗ，１８ｂから遠い位置に、重心位置がある質量体１６ｗ３，１６ｂ３を用いればよい。また、この場合も、質量体１６ｗ３，１６ｂ３の質量を異ならせることと、質量体１６ｗ３，１６ｂ３の重心位置を異ならせることとを組み合わせるようにしてもよい。
【０１０７】
上記第１及び第２実施形態及びそれらの変形例では上限ストッパ２１の緩衝材２１ｂの荷重に対する弾性変形量を大きくして複数の白鍵１１ｗの上面前端の高さの一致を図り、上記第３実施形態及びその変形例では駆動部１１ｗ１の緩衝材１１ｗ２の荷重に対する弾性変形量を大きくして複数の白鍵１１ｗの上面前端の高さの一致を図り、上記第４実施形態及びその変形例では荷重に対する弾性変形量を大きくした弾性支持部材１８ｗ２をハンマー支持部１８ｗに設けて複数の白鍵１１ｗの上面前端の高さの一致を図った。しかし、これらの３つ方法のうちの異なる２つの方法又は３つの方法を組み合わせて、複数の白鍵１１ｗの上面前端の高さの一致を図ってもよい。特に、前記第３及び第４実施形態に係る方法は、質量体３１ｗの質量Ｗｋを長い側（低音側）の白鍵１１ｗほど小さくする点で一致し、かつ質量体３１ｗの質量Ｗｋの変化は緩衝材１１ｗ２及び弾性支持部材１８ｗ２の両者に影響するので、これらの方法を組み合わせることは有効である。
【０１０８】
また、黒鍵１１ｂに関しては、上記第５実施形態の第１具体例では上限ストッパ２１の緩衝材２１ｂの荷重に対する弾性変形量を大きくして複数の黒鍵１１ｂの上面前端の高さの一致を図り、上記第５実施形態の第２具体例では駆動部１１ｂ１の緩衝材１１ｂ２の荷重に対する弾性変形量を大きくして複数の黒鍵１１ｂの上面前端の高さの一致を図り、上記第５実施形態の第３具体例では荷重に対する弾性変形量を大きくした弾性支持部材１８ｂ２をハンマー支持部１８ｂに設けて複数の白鍵１１ｗの上面前端の高さの一致を図った。この場合も、これらの３つ方法のうちの異なる２つの方法又は３つの方法を組み合わせて、複数の黒鍵１１ｂの上面前端の高さの一致を図ってもよい。また、この場合も、前記第２及び第３具体例に係る方法は、質量体３１ｂの質量Ｗｋを長い側（低音側）の黒鍵１１ｂほど大きくする点で一致し、かつ質量体３１ｂの質量Ｗｋの変化は緩衝材１１ｂ２及び弾性支持部材１８ｂ２の両者に影響するので、これらの方法を組み合わせることは有効である。
【０１０９】
また、上記第１乃至第６実施形態及びそれらの変形例においては、白鍵１１ｗ及び黒鍵１１ｂの前後方向の長さを低音から高音に向かうに従って徐々に短くするようにした。しかし、これに代えて、複数の鍵域ごとに、例えば低音域、中音域及び高音域ごとに、白鍵１１ｗ及び黒鍵１１ｂの前後方向の長さを異ならせた鍵盤装置にも、本発明は適用できる。例えば、白鍵１１ｗ及び黒鍵１１ｂの前後方向の長さを低音域から高音域に向かうに従って徐々に短くした鍵盤装置にも本発明は適用される。また、頻繁に押離鍵操作される中音域の白鍵１１ｗ及び黒鍵１１ｂの前後方向の長さを長くし、頻繁に押離鍵操作されない低音域及び高音域の白鍵１１ｗ及び黒鍵１１ｂの前後方向の長さを短くした鍵盤装置にも本発明は適用できる。これらの場合も、鍵構造は上記第１乃至第６実施形態の場合と同じであり、ハンマー１６ｗ，１６ｂの質量体１６ｗ３，１６ｂ３の質量Ｗｈと、白鍵１１ｗ及び黒鍵１１ｂに組み付けられる質量体３１ｗ，３１ｂの質量Ｗｋに関しても、上記第１乃至第６実施形態の場合の鍵の長さに応じて異ならせるようにして、離鍵時における白鍵１１ｗ又は黒鍵１１ｂの上面前端を一致させるようにする。
【０１１０】
また、上記第１乃至第５実施形態及びそれらの変形例においては、白鍵１１ｗ及び黒鍵１１ｂの駆動部１１ｗ１，１１ｂ１の前後方向の位置を共に同じにするとともに、白鍵１１ｗ及び黒鍵１１ｂ用のハンマー１６ｗ，１６ｂの揺動中心の前後方向の位置を同じにした。これにより、離鍵時から最大押鍵時までの全てのハンマー１６ｗ，１６ｂの揺動角は同じであって、離鍵時から最大押鍵時までの全ての駆動部１１ｗ１，１１ｂ１の変化範囲も同じであり、かつ白鍵１１ｗの上面前端部（操作部）は駆動部１１ｗ１の前方に位置するとともに、黒鍵１１ｂの見え掛り部の上面前端部（操作部）は駆動部１１ｂ１の後方に位置して、白鍵１１ｗの上面前端部（操作部）と黒鍵１１ｂの見え掛り部の上面前端部（操作部）との間には比較的大きな距離が存在する。したがって、上記第１乃至第５実施形態では、黒鍵１１ｂの見え掛り部の上面前端部の変化範囲は、白鍵１１ｗの上面前端部（操作部）の変化範囲はよりも小さくなる。
【０１１１】
そこで、上記第１乃至第５実施形態及びそれらの変形例に代えて、黒鍵１１ｂ用のハンマー１６ｂの基部１６ｂ１を前方に延長した構成として、黒鍵１１ｂの駆動部１１ｂ１の前後方向の位置を白鍵１１ｗの駆動部１１ｗ１の前後方向の位置よりも前方にするとよい。その他の構成に関しては、上記第１乃至第５実施形態の場合と同じである。これによれば、離鍵時から最大押鍵時までの駆動部１１ｂ１の変化範囲を、離鍵時から最大押鍵時までの駆動部１１ｗ１の変化範囲よりも大きくすることができる。したがって、この場合には、黒鍵１１ｂの見え掛り部の上面前端部の変化範囲を大きくすることができて、白鍵１１ｗの上面前端部（操作部）の変化範囲と同じ又は近づけることができる。その結果、白鍵１１ｗと黒鍵１１ｂの押鍵における深さ感覚を同じ又は近似させることができて、押鍵操作感覚をより良好にできる。
【０１１２】
また、黒鍵１１ｂ用のハンマー支持部１８ｂを白鍵１１ｗ用のハンマー支持部１８ｗよりも後方に位置させて、黒鍵１１ｂ用のハンマー１６ｂの揺動中心の前後方向の位置を白鍵１１ｗ用のハンマー１６ｗの揺動中心の前後方向の位置よりも後方にしてもよい。その他の構成に関しては、上記第１乃至第５実施形態の場合と同じである。これによれば、離鍵時から最大押鍵時までのハンマー１６ｂの揺動角が離鍵時から最大押鍵時までのハンマー１６ｗの揺動角よりも大きくなり、離鍵時から最大押鍵時までの黒鍵１１ｂの駆動部１１ｂ１の変化範囲を離鍵時から最大押鍵時までの白鍵１１ｗの駆動部１１ｗ１の変化範囲よりも大きくすることができる。したがって、この場合も、黒鍵１１ｂの見え掛り部の上面前端部の変化範囲を大きくすることができて、白鍵１１ｗの上面前端部（操作部）の変化範囲と同じ又は近づけることができる。その結果、白鍵１１ｗと黒鍵１１ｂの押鍵における深さ感覚を同じ又は近似させることができて、押鍵操作感覚をより良好にできる。
【０１１３】
また、上記第１乃至第５実施形態及びそれらの変形例においては、黒鍵１１ｂの駆動部１１ｂ１は、見え掛り部の前端よりも前方に設けられているが、駆動部１１ｂ１が、見え掛り部の前端の直下に設けられていてもよいし、白鍵１１ｗと同様に、駆動部１１ｂ１を見え掛り部の前端よりも後方に設けてもよい。これらの場合も、黒鍵１１ｂの長さに応じて、上限ストッパ２１の緩衝材２１ｂの荷重に対する弾性変形量、駆動部１１ｗ１の緩衝材１１ｗ２の荷重に対する弾性変形量、又はハンマー支持部１８ｗに設けた弾性支持部材１８ｗ２の荷重に対する弾性変形量を調整するとともに、ハンマー１６ｂの質量体１６ｂ３の質量Ｗｈ又は黒鍵１１ｂ内の質量体３１ｂの質量Ｗｋを調整して、複数の黒鍵１１ｂの上面前端の高さを一致させるようにする。
【０１１４】
また、上記第１乃至第６実施形態及びそれらの変形例においては、スイッチＳＷ１を、駆動部１１ｗ１，１１ｂ１の後方に設けたが、駆動部１１ｗ１，１１ｂ１の前方に設けてもよい。この場合、例えば、前板部１２ｄの上端部から前方又は後方へ延設された水平部を設け、この水平部に、回路基板２３を組み付ければよい。そして、スイッチ駆動部ＡＣ１を、駆動部１１ｗ１，１１ｂ１の前方かつスイッチＳＷ１の上方に設ければよい。このように構成しても、上記実施形態と同様の効果が得られる。なお、スイッチＳＷ１に代えて、又は加えて、光センサ、磁気センサ、静電容量センサ、感圧センサなどを用いて、鍵の押離鍵状態を検出してもよい。
【０１１５】
また、上記第１乃至第５実施形態及びそれらの変形例においては、質量体１６ｗ３及び質量体１６ｂ３を連結棒１６ｗ２及び連結棒１６ｂ２の後端に組み付けているが、質量体１６ｗ３及び質量体１６ｂ３を組み付けるのではなく、連結棒１６ｗ２及び連結棒１６ｂ２の先端を前側に折り返すことにより、ハンマー１６ｗ及びハンマー１６ｂの後端に質量を集中させるようにしてもよい。そして、折り返す部分の長さを調整することにより、ハンマー１６ｗ及びハンマー１６ｂの後端部の質量を調整すればよい。さらに、白鍵１１ｗ及び黒鍵１１ｂの揺動支点については、上記第１乃至第５実施形態及びそれらの変形例において説明したように、回転軸を中心として揺動するものに限らず、白鍵１１ｗ及び黒鍵１１ｂの後端に板状の薄肉部を設け、薄肉部の後端を支持部材に支持させることにより、薄肉部の弾性変形により白鍵１１ｗ及び黒鍵１１ｂを揺動させるようにしたヒンジ型の揺動支点を利用するものでもよい。
【符号の説明】
【０１１６】
１１ｗ…白鍵、１１ｂ…黒鍵、１１ｗ１，１１ｂ１…駆動部、１１ｗ２，１１ｂ２…緩衝材、１２…鍵フレーム、１３ｗ，１３ｂ…鍵支持部、１６ｗ，１６ｂ…ハンマー、１６ｗ１，１６ｂ１…基部、１６ｗ２，１６ｂ２…連結棒、１６ｗ３，１６ｂ３…質量体、１８ｗ，１８ｂ…ハンマー支持部、１８ｗ２，１８ｂ２…弾性支持部材、２０…下限ストッパ、２１，３３…上限ストッパ、２０ｂ，２１ｂ，３３ｂ…緩衝材、ＦＲ…フレーム
【図１】
2015034853.tif 000012
【図２】
2015034853.tif 000013
【図３】
2015034853.tif 000014
【図４】
2015034853.tif 000015
【図５】
2015034853.tif 000016
【図６】
2015034853.tif 000017
【図７】
2015034853.tif 000018
【図８】
2015034853.tif 000019
【図９】
2015034853.tif 000020
【図１０】
2015034853.tif 000021
【図１１】
2015034853.tif 000022
【図１２】
2015034853.tif 000023
【図１３】
2015034853.tif 000024
【図１４】
2015034853.tif 000025
【図１５】
2015034853.tif 000026